(57)【要約】  デュアルチャネル送信機およびデュアルチャネル受信機が開示される。デュアルチャネル送信機は、情報信号をネットワークデバイスに送信すると決定し得、デュアルチャネル受信機は、ワイヤレスチャネルおよびワイヤラインチャネルのいずれかまたは両方の上でネットワークデバイスにおいて情報信号を受信すると決定し得る。ガードインターバルコントローラは、ワイヤレスチャネルおよびワイヤラインチャネルのいずれかまたは両方の上で情報信号が送信または受信されるかどうかの決定に少なくとも部分的に基づいて、ガードインターバルを選択し得る。
2018525856.tif 000002
【特許請求の範囲】
【請求項１】
デュアルチャネル送信機から情報信号を送信するための方法であって、
ワイヤレスチャネル、ワイヤラインチャネル、またはそれらの組合せの上で前記情報信号をネットワークデバイスに送信すると決定することと、
前記決定に少なくとも部分的に基づいて送信ガードインターバルを選択することと
を備える方法。
【請求項２】
前記ネットワークデバイスがワイヤレス受信アクセス、ワイヤライン受信アクセス、またはそれらの組合せを有すると決定すること
をさらに備える、請求項１に記載の方法。
【請求項３】
前記ネットワークデバイスがワイヤレス受信アクセスのみを有するという決定に応答して、前記ワイヤレスチャネル上のみで前記情報信号を送信すると決定することと、
前記ワイヤレスチャネル上のみで前記情報信号を送信するという前記決定に少なくとも部分的に基づいて前記送信ガードインターバルを選択することと
をさらに備える、請求項２に記載の方法。
【請求項４】
前記ネットワークデバイスがワイヤライン受信アクセスのみを有するという決定に応答して、前記ワイヤラインチャネル上のみで前記情報信号を送信すると決定することと、
前記ワイヤラインチャネルの送信媒体に少なくとも部分的に基づいて前記送信ガードインターバルを選択することと
をさらに備える、請求項２に記載の方法。
【請求項５】
前記ネットワークデバイスがワイヤレス受信アクセスとワイヤライン受信アクセスの両方を有するという決定に応答して、前記ワイヤレスチャネルと前記ワイヤラインチャネルの両方の上で前記情報信号を送信すると決定すること
をさらに備える、請求項２に記載の方法。
【請求項６】
前記ワイヤラインチャネルの送信媒体に少なくとも部分的に基づいて前記送信ガードインターバルを選択することと、
前記ワイヤレスチャネルおよび前記ワイヤラインチャネルを介して前記選択された送信ガードインターバルを有する前記情報信号を送信することと
をさらに備える、請求項５に記載の方法。
【請求項７】
前記ワイヤレスチャネルおよび前記ワイヤラインチャネル上の信号トラフィックを監視すること
をさらに備える、請求項１に記載の方法。
【請求項８】
前記ワイヤレスチャネル上の前記信号トラフィックがワイヤレスチャネルしきい値を超えることに応答して、前記ワイヤラインチャネル上で前記情報信号を送信すると決定すること
をさらに備える、請求項７に記載の方法。
【請求項９】
前記ワイヤラインチャネル上の前記信号トラフィックがワイヤラインチャネルしきい値を超えることに応答して、前記ワイヤレスチャネル上で前記情報信号を送信すると決定すること
をさらに備える、請求項７に記載の方法。
【請求項１０】
情報信号をネットワークデバイスに送信すると決定するように構成された上位レベルプロトコルレイヤと、
ワイヤレスチャネル、ワイヤラインチャネル、またはそれらの組合せの上で前記情報信号を送信すると決定するように構成された送信モードコントローラと、
前記決定に少なくとも部分的に基づいて送信ガードインターバルを選択するように構成されたガードインターバルコントローラと
を備えるデュアルチャネル送信機。
【請求項１１】
前記送信モードコントローラが、前記ネットワークデバイスがワイヤレス受信アクセス、ワイヤライン受信アクセス、またはそれらの組合せを有すると決定するようにさらに構成される、請求項１０に記載のデュアルチャネル送信機。
【請求項１２】
前記ガードインターバルコントローラが、前記ネットワークデバイスがワイヤレス受信アクセスのみを有するという決定に応答して、前記ワイヤレスチャネルに少なくとも部分的に基づいて前記送信ガードインターバルを選択するようにさらに構成される、請求項１１に記載のデュアルチャネル送信機。
【請求項１３】
前記ガードインターバルコントローラが、前記ネットワークデバイスがワイヤライン受信アクセスのみを有するという決定に応答して、前記ワイヤラインチャネルの送信媒体に少なくとも部分的に基づいて前記送信ガードインターバルを選択するようにさらに構成される、請求項１１に記載のデュアルチャネル送信機。
【請求項１４】
前記送信モードコントローラが、
前記ネットワークデバイスが同じ情報信号を受信するように構成されたワイヤレス受信インターフェースとワイヤライン受信機インターフェースとを含むと決定し、
前記ネットワークデバイスが同じ情報信号を受信するように構成された前記ワイヤレス受信インターフェースとワイヤライン受信インターフェースとを含むという決定に応答して、前記ワイヤレスチャネルおよび前記ワイヤラインチャネル上で前記情報信号を送信する
ようにさらに構成される、請求項１０に記載のデュアルチャネル送信機。
【請求項１５】
前記ガードインターバルコントローラが、前記ワイヤラインチャネルの送信媒体に少なくとも部分的に基づいて前記送信ガードインターバルを選択するようにさらに構成される、請求項１４に記載のデュアルチャネル送信機。
【請求項１６】
前記送信モードコントローラが、前記ワイヤレスチャネルおよび前記ワイヤラインチャネル上の信号トラフィックを監視するようにさらに構成される、請求項１０に記載のデュアルチャネル送信機。
【請求項１７】
前記送信モードコントローラが、前記ワイヤレスチャネル上の前記信号トラフィックがワイヤレスチャネルしきい値を超えることに応答して、前記ワイヤラインチャネル上で前記情報信号を送信すると決定するようにさらに構成される、請求項１６に記載のデュアルチャネル送信機。
【請求項１８】
前記送信モードコントローラが、前記ワイヤラインチャネル上の前記信号トラフィックがワイヤラインチャネルしきい値を超えることに応答して、前記ワイヤレスチャネル上で前記情報信号を送信するようにさらに構成される、請求項１６に記載のデュアルチャネル送信機。
【請求項１９】
ネットワークデバイスにおいて情報信号を受信するための方法であって、
ワイヤレス受信インターフェースにおいてワイヤレス信号を、ワイヤライン受信インターフェース上でワイヤライン信号を受信することと、
前記ワイヤレス信号の第１の信号強度を決定することと、
前記ワイヤライン信号の第２の信号強度を決定することと、
前記決定された第１の信号強度および前記決定された第２の信号強度に少なくとも部分的に基づいて、さらなる処理のために前記ワイヤレス信号および前記ワイヤライン信号のいずれかまたは両方を選択することと
を備える方法。
【請求項２０】
前記第１の信号強度を第１の信号強度しきい値と比較することと、
前記第２の信号強度を第２の信号強度しきい値と比較することと
をさらに備える、請求項１９に記載の方法。
【請求項２１】
前記ワイヤレス信号および前記ワイヤライン信号のいずれかまたは両方を前記選択することが、
前記第１の信号強度が前記第１の信号強度しきい値を超えず、前記第２の信号強度が前記第２の信号強度しきい値を超えないと決定したことに応答して、前記ワイヤレス信号と前記ワイヤライン信号の両方を選択することをさらに備える、請求項２０に記載の方法。
【請求項２２】
前記選択されたワイヤレス信号と前記選択されたワイヤライン信号を前記情報信号内で合成することをさらに備える、請求項２１に記載の方法。
【請求項２３】
ワイヤレス信号を受信するように構成されたワイヤレス受信インターフェースと、
ワイヤライン信号を受信するように構成されたワイヤライン受信インターフェースと、
前記ワイヤレス信号の第１の信号強度と前記ワイヤライン信号の第２の信号強度とを決定し、
前記決定された第１の信号強度および前記決定された第２の信号強度に少なくとも部分的に基づいて、さらなる処理のために前記ワイヤレス信号および前記ワイヤライン信号のいずれかまたは両方を選択する
ように構成されたダイバーシティ選択ユニットと
を備えるデュアルチャネル受信機。
【請求項２４】
前記ダイバーシティ選択ユニットが、
前記第１の信号強度を第１の信号強度しきい値と比較し、
前記第２の信号強度を第２の信号強度しきい値と比較する
ようにさらに構成される、請求項２３に記載のデュアルチャネル受信機。
【請求項２５】
前記ダイバーシティ選択ユニットが、前記第１の信号強度が前記第１の信号強度しきい値を超えず、前記第２の信号強度が前記第２の信号強度しきい値を超えないと決定したことに応答して、さらなる処理のために前記ワイヤレス信号と前記ワイヤライン信号の両方を選択するようにさらに構成される、請求項２４に記載のデュアルチャネル受信機。
【請求項２６】
前記選択されたワイヤレス信号と前記選択されたワイヤライン信号とを情報信号内で合成するように構成されたダイバーシティ合成ユニット
をさらに備える、請求項２３に記載のデュアルチャネル受信機。
【発明の詳細な説明】
【技術分野】
【０００１】
関連出願
[0001]  本出願は、２０１５年５月１１日に出願された米国出願第１４／７０９，０３８号の優先権の利益を主張する。
【０００２】
[0002]  開示される主題の実施形態は、一般に、ネットワーク通信およびチャネルの分野に関し、より詳細には、デュアル媒体通信チャネル（dual medium communication channels）を利用するネットワークデバイス（network device）に関する。
【背景技術】
【０００３】
[0003]  電気通信ネットワーク（Telecommunication network）は、コンピュータおよび他の電子データ処理デバイスが通信チャネルにわたって情報を交換することを可能にする。チャネルは、ワイヤライン（wireline）などの物理伝送媒体（physical transmission medium）であってもよく、またはＲＦチャネルなどの多重化媒体（multiplexed medium）を介した論理接続（logical connection）であってもよい。チャネル（Channel）は、情報信号（information signal）、たとえば、デジタルビットストリーム（digital bit stream）を１つまたは複数のネットワーク送信機から１つまたは複数のネットワーク受信機に搬送するために利用され得る。チャネルは、帯域幅によって測定され得るような伝送容量（transmission capacity）を含む、様々な伝送特性を有する。
【０００４】
[0004]  重複する周波数帯域を使用するワイヤレスチャネル（wireless channel）は、相互干渉を受け、データレートの不安定性または接続の失敗をもたらす場合がある。電力線通信（ＰＬＣ：powerline communication）リンクなどのワイヤラインチャネル（wireline channel）も、リンク／チャネルの劣化または障害を受ける場合がある。たとえば、ＰＬＣチャネルの性能は、建造物内のネットワーク構造によって、電力線伝送媒体（powerline transmission medium）上のネットワークトラフィックによって、または電力線伝送媒体に誘導される雑音によって、かなり影響を受ける場合がある。
【０００５】
[0005]  ハイブリッド通信ネットワーク（Hybrid communication networks）は、ワイヤラインおよびワイヤードの通信デバイスおよびチャネルを結合する。たとえば、ハイブリッド通信ネットワークは、スマートフォンおよびワイヤレスネットワークインターフェースを有する他のデバイスなどのワイヤレスデバイスを含み得る。ハイブリッド通信ネットワークは、コンピュータおよびワイヤラインネットワークインターフェース（たとえば、イーサネット（登録商標））を有する他のデバイスなどのワイヤラインデバイスをさらに含み得る。ワイヤラインデバイスとワイヤレスデバイスとの間の通信は、ワイヤレスネットワークインターフェースとワイヤラインネットワークインターフェースの両方を含むブリッジ（bridge）を使用して確立され得る。いくつかのネットワークデバイスは、ワイヤレスネットワークインターフェースとワイヤラインネットワークインターフェースの両方を含み得る（ハイブリッドデバイスと呼ばれる）。ハイブリッドデバイスがワイヤレス伝送チャネル（wireless transmission channel）またはワイヤライン伝送チャネル（wireline transmission channel）によって直接接続される場合、ハイブリッドデバイスは互いと直接通信し得る。異なる伝送媒体チャネル（different transmission media channels）がハイブリッドネットワークにおいて使用されるが、現行のハイブリッドネットワーク送信機およびハイブリッドネットワーク受信機は、伝送媒体ダイバーシティ（transmission media diversity）によって提示されるカバレージ能力（coverage capability）を適切に利用しないことがある。
【発明の概要】
【０００６】
[0006]  情報信号を送信および受信するための様々な実施形態が開示される。一実施形態では、デュアルチャネル送信機（dual channel transmitter）は、情報信号をネットワークデバイスに送信すると決定し得る。デュアルチャネル送信機は、ワイヤレスチャネルおよびワイヤラインチャネルのいずれかまたは両方の上で情報信号を送信するかどうかを決定し得る送信モードコントローラ（transmit mode controller）を含み得る。デュアルチャネル送信機は、ワイヤレスチャネルおよびワイヤラインチャネルのいずれかまたは両方の上で情報信号を送信するかどうかの決定に基づいて送信ガードインターバル（transmit guard interval）を選択し得るガードインターバルコントローラ（guard interval controller）をさらに含み得る。
【０００７】
[0007]  いくつかの実施形態では、デュアルチャネル送信機から情報信号を送信するための方法は、ワイヤレスチャネル、ワイヤラインチャネル、またはそれらの組合せの上で情報信号をネットワークデバイスに送信すると決定することと、前記決定に少なくとも部分的に基づいて送信ガードインターバルを選択することとを備える。
【０００８】
[0008]  いくつかの実施形態では、方法は、ネットワークデバイスがワイヤレス受信アクセス（wireless receive access）、ワイヤライン受信アクセス（wireline receive access）、またはそれらの組合せを有すると決定することをさらに備える。
【０００９】
[0009]  いくつかの実施形態では、方法は、ネットワークデバイスがワイヤレス受信アクセスのみを有するという決定に応答して、ワイヤレスチャネル上のみで情報信号を送信すると決定することと、ワイヤレスチャネル上のみで情報信号を送信するという前記決定に少なくとも部分的に基づいて送信ガードインターバルを選択することとをさらに備える。
【００１０】
[0010]  いくつかの実施形態では、方法は、ネットワークデバイスがワイヤライン受信アクセスのみを有するという決定に応答して、ワイヤラインチャネル上のみで情報信号を送信すると決定することと、ワイヤラインチャネルの送信媒体（transmit medium）に少なくとも部分的に基づいて送信ガードインターバルを選択することとをさらに備える。
【００１１】
[0011]  いくつかの実施形態では、方法は、ネットワークデバイスがワイヤレス受信アクセスとワイヤライン受信アクセスの両方を有するという決定に応答して、ワイヤレスチャネルとワイヤラインチャネルの両方の上で情報信号を送信すると決定することをさらに備える。
【００１２】
[0012]  いくつかの実施形態では、方法は、ワイヤラインチャネルの送信媒体に少なくとも部分的に基づいて送信ガードインターバルを選択することと、選択された送信ガードインターバルを有する情報信号をワイヤレスチャネルおよびワイヤラインチャネルを介して送信することとをさらに備える。
【００１３】
[0013]  いくつかの実施形態では、方法は、ワイヤレスチャネルおよびワイヤラインチャネル上の信号トラフィック（signal traffic）を監視する（monitor）ことをさらに備える。
【００１４】
[0014]  いくつかの実施形態では、方法は、ワイヤレスチャネル上の信号トラフィックがワイヤレスチャネルしきい値（wireless channel threshold）を超えることに応答して、ワイヤラインチャネル上で情報信号を送信すると決定することをさらに備える。
【００１５】
[0015]  いくつかの実施形態では、方法は、ワイヤラインチャネル上の信号トラフィックがワイヤラインチャネルしきい値（wireline channel threshold）を超えることに応答して、ワイヤレスチャネル上で情報信号を送信すると決定することをさらに備える。
【００１６】
[0016]  いくつかの実施形態では、デュアルチャネル送信機は、情報信号をネットワークデバイスに送信すると決定するように構成された上位レベルプロトコルレイヤ（upper level protocol layers）と、ワイヤレスチャネル、ワイヤラインチャネル、またはそれらの組合せの上で情報信号を送信すると決定するように構成された送信モードコントローラと、前記決定に少なくとも部分的に基づいて送信ガードインターバルを選択するように構成されたガードインターバルコントローラとを備える。
【００１７】
[0017]  いくつかの実施形態では、前記送信モードコントローラは、ネットワークデバイスがワイヤレス受信アクセス、ワイヤライン受信アクセス、またはそれらの組合せを有すると決定するようにさらに構成される。
【００１８】
[0018]  いくつかの実施形態では、ガードインターバルコントローラは、ネットワークデバイスがワイヤレス受信アクセスのみを有するという決定に応答して、ワイヤレスチャネルに少なくとも部分的に基づいて送信ガードインターバルを選択するようにさらに構成される。
【００１９】
[0019]  いくつかの実施形態では、送信モードコントローラは、ネットワークデバイスが同じ情報信号を受信するように構成されたワイヤレス受信インターフェース（wireless receive interface）とワイヤライン受信機インターフェース（wireline receiver interface ）とを含むと決定し、ネットワークデバイスが同じ情報信号を受信するように構成されたワイヤレス受信インターフェースとワイヤライン受信インターフェース（wireline receive interface）とを含むという決定に応答して、ワイヤレスチャネルおよびワイヤラインチャネル上で情報信号を送信するようにさらに構成される。
【００２０】
[0020]  いくつかの実施形態では、ガードインターバルコントローラは、ワイヤラインチャネルの送信媒体に少なくとも部分的に基づいて送信ガードインターバルを選択するようにさらに構成される。
【００２１】
[0021]  いくつかの実施形態では、送信モードコントローラは、ワイヤレスチャネルおよびワイヤラインチャネル上の信号トラフィックを監視するようにさらに構成される。
【００２２】
[0022]  いくつかの実施形態では、送信モードコントローラは、ワイヤレスチャネル上の信号トラフィックがワイヤレスチャネルしきい値を超えることに応答して、ワイヤラインチャネル上で情報信号を送信すると決定するようにさらに構成される。
【００２３】
[0023]  いくつかの実施形態では、送信モードコントローラは、ワイヤラインチャネル上の信号トラフィックがワイヤラインチャネルしきい値を超えることに応答して、ワイヤレスチャネル上で情報信号を送信するようにさらに構成される。
【００２４】
[0024]  いくつかの実施形態では、ネットワークデバイスにおいて情報信号を受信するための方法は、ワイヤレス受信インターフェースにおいてワイヤレス信号（wireless signal）を、ワイヤライン受信インターフェース上でワイヤライン信号（wireline signal）を受信することと、ワイヤレス信号の第１の信号強度（first signal strength）を決定することと、ワイヤライン信号の第２の信号強度（second signal strength）を決定することと、決定された第１の信号強度および決定された第２の信号強度に少なくとも部分的に基づいて、さらなる処理のためにワイヤレス信号およびワイヤライン信号のいずれかまたは両方を選択することとを備える。
【００２５】
[0025]  いくつかの実施形態では、方法は、第１の信号強度を第１の信号強度しきい値（first signal strength threshold）と比較することと、第２の信号強度を第２の信号強度しきい値（second signal strength threshold）と比較することとをさらに備える。
【００２６】
[0026]  いくつかの実施形態では、ワイヤレス信号およびワイヤライン信号のいずれかまたは両方を前記選択することは、第１の信号強度が第１の信号強度しきい値を超えず、第２の信号強度が第２の信号強度しきい値を超えないと決定したことに応答して、ワイヤレス信号とワイヤライン信号の両方を選択することをさらに備える。
【００２７】
[0027]  いくつかの実施形態では、方法は、選択されたワイヤレス信号と選択されたワイヤライン信号とを情報信号内で合成する（combine）ことをさらに備える。
【００２８】
[0028]  いくつかの実施形態では、デュアルチャネル受信機（dual channel receiver）は、ワイヤレス信号を受信するように構成されたワイヤレス受信インターフェースと、ワイヤライン信号を受信するように構成されたワイヤライン受信インターフェースと、ワイヤレス信号の第１の信号強度とワイヤライン信号の第２の信号強度とを決定し、決定された第１の信号強度および決定された第２の信号強度に少なくとも部分的に基づいて、さらなる処理のためにワイヤレス信号およびワイヤライン信号のいずれかまたは両方を選択するように構成されたダイバーシティ選択ユニット（select diversity unit）とを備える。
【００２９】
[0029]  いくつかの実施形態では、ダイバーシティ選択ユニットは、第１の信号強度を第１の信号強度しきい値と比較し、第２の信号強度を第２の信号強度しきい値と比較するようにさらに構成される。
【００３０】
[0030]  いくつかの実施形態では、ダイバーシティ選択ユニットは、第１の信号強度が第１の信号強度しきい値を超えず、第２の信号強度が第２の信号強度しきい値を超えないと決定したことに応答して、さらなる処理のためにワイヤレス信号とワイヤライン信号の両方を選択するようにさらに構成される。
【００３１】
[0031]  いくつかの実施形態では、デュアルチャネル受信機は、選択されたワイヤレス信号と選択されたワイヤライン信号とを情報信号内で合成するように構成されたダイバーシティ合成ユニット（combine diversity unit）をさらに備える。
【００３２】
[0032]  添付の図面を参照することによって、本実施形態がより良く理解され得、多数の目的、特徴、および利点が当業者に明らかになり得る。
【図面の簡単な説明】
【００３３】
【図１】[0033]  一実施形態によるネットワーク環境を示すブロック図。
【図２】[0034]  一実施形態によるデュアルチャネル送信機を示すブロック図。
【図３】[0035]  一実施形態による、ダイバーシティ受信（diversity reception）用に構成され得るデュアルチャネル受信機を示すブロック図。
【図４】[0036]  一実施形態による、送信モード選択（transmit mode selection）と送信ガードインターバル選択とを容易にするために実行される機能とプロセスとを示す流れ図。
【図５】[0037]  一実施形態による、受信ダイバーシティ（receive diversity）を容易にするために実行される機能とプロセスとを示す流れ図。
【図６】[0038]  デュアルチャネル送信機および／またはデュアルチャネル受信機を含み得るハイブリッドネットワークインターフェース（hybrid network interface）を有する例示的なコンピュータシステムを示す図。
【発明を実施するための形態】
【００３４】
[0039]  以下の説明は、本開示の技法を具現化する、例示的なシステムと、方法と、技法と、命令シーケンスと、コンピュータプログラム製品とを含む。しかしながら、説明される実施形態は、これらの具体的な詳細なしに実践され得ることを理解されたい。他の事例では、説明を不明瞭にしないために、よく知られている命令インスタンス、プロトコル、構造および技法は詳細に示されていない。
【００３５】
[0040]  本開示は、多様なチャネル媒体上で同じ情報信号のコピーを送信することによって通信技術の範囲を拡大するためのシステム、デバイス、および方法について説明する。情報信号（たとえば、ベースバンドビットストリーム（baseband bit stream））は、変調された、さもなければＲＦチャネルまたはＰＬＣチャネルなどの特定のチャネル媒体上で送信されるべき送信フォーマットに変換された、キャリア送信信号（たとえば、ワイヤレス信号またはワイヤライン信号）内で符号化され得る。たとえば、情報信号は、ＲＦ送信信号およびＰＬＣ送信信号内で符号化され得る。ＲＦ送信信号とＰＬＣ送信信号とを使用して、情報信号は、ＲＦチャネルおよびＰＬＣチャネルを介して送信され得る。このようにして、送信と受信の両方を行うためのダイバーシティは、異なる媒体特性の利用とともに、情報信号の全体的なカバレージおよび範囲を促進する。
【００３６】
[0041]  一実施形態では、ワイヤレス送信インターフェースおよびワイヤライン送信インターフェースは、並列のワイヤレス信号とワイヤライン信号とを生成するために、ベースバンド情報信号（たとえば、ＲＦベースバンド信号）を受信し、処理する。並列のワイヤレス信号およびワイヤライン信号は、対応するワイヤレス受信インターフェースとワイヤライン受信インターフェースとを有する受信機に送信され得る。
【００３７】
[0042]  ベースバンド情報信号の送信のために複数のチャネル媒体と対応する周波数帯域とを利用することによって、カバレージが改善され得る。また、ダイバーシティ利得を獲得するために、ワイヤレス信号およびワイヤライン信号が合成され得る。
【００３８】
[0043]  一実施形態では、ネットワークデバイス送信機は、ワイヤレス送信インターフェースとワイヤライン送信インターフェースとを備え、各インターフェースは、共通ベースバンド信号を処理し、各々が共通ベースバンド信号に対応する得られたワイヤレス信号とワイヤライン信号とを送信する。
【００３９】
[0044]  別の実施形態では、ネットワークデバイス送信機は、ワイヤレス信号のみ、またはワイヤライン信号のみ、またはワイヤレス信号とワイヤライン信号の両方を選択的に送信し、ここにおいて、ワイヤレス信号およびワイヤライン信号は各々、同じベースバンド情報信号から生成される。選択的に送信するための基準は、チャネルトラフィック条件および／またはネットワークデバイスの受信機構成を含み得る。
【００４０】
[0045]  代替実施形態では、ネットワークデバイス受信機は、各々が同じ情報信号を含むワイヤレス信号とワイヤライン信号とを同時に受信するためのワイヤレス受信インターフェースとワイヤライン受信インターフェースとを備え得る。受信機は、絶対信号強度（たとえば、ある信号が指定されたしきい値を下回る）または相対信号強度に基づいて、処理のために、ワイヤレス信号のみまたはワイヤライン信号のみのいずれかを選択し得る。代替的に、受信機は、ワイヤレス信号およびワイヤライン信号の信号強度に基づいて、処理のために、ワイヤレス信号とワイヤライン信号とを組み合わせて選択し得る。
【００４１】
[0046]  図１は、一実施形態によるネットワーク環境を示すブロック図である。図示されたネットワーク環境は、ワイヤラインネットワークインターフェースコントローラ（ＮＩＣ：network interface controller）１１２とワイヤレスＮＩＣ１１４とを含むネットワークデバイス１０２を含む。ワイヤラインＮＩＣ１１２とワイヤレスＮＩＣ１１４の両方を有するネットワークデバイス１０２は、２つの異なる伝送チャネル／媒体上で情報信号を送信および受信することができるので、ハイブリッドデバイスとして分類され得る。図示された実施形態では、ワイヤラインＮＩＣ１１２は、電力線通信（ＰＬＣ）伝送チャネル１２４上で他のネットワークデバイスと情報信号を送信および受信するための、媒体アクセス制御（ＭＡＣ：media access control）処理レイヤとワイヤライン物理レイヤＰＨＹ１とを含む。ワイヤレスＮＩＣ１１４は、ワイヤレス伝送チャネル（wireless transmission channel）１２６上で他のネットワークデバイスと情報信号を送信および受信するための、ＭＡＣ処理レイヤとワイヤレス物理レイヤＰＨＹ２とを含む。
【００４２】
[0047]  ネットワークデバイス１０８は、ワイヤレス伝送チャネル１２６に通信可能に接続される。ネットワークデバイス１０８は、ワイヤレス伝送チャネル１２６上で他のネットワークデバイスと情報信号を送信および受信するための、ＭＡＣ処理レイヤとＰＨＹ２ワイヤレスレイヤとを有する、ワイヤレスＮＩＣ１２０を含む。ネットワークデバイス１０８は、それ自体のワイヤレスＮＩＣ１２０からの情報信号をネットワークデバイス１０２のワイヤレスＮＩＣ１１４に送信し得る。ネットワークデバイス１０８はまた、ネットワークデバイス１０２のワイヤレスＮＩＣ１１４からの情報信号をワイヤレスＮＩＣ１２０において受信し得る。
【００４３】
[0048]  別の単一のネットワークインターフェースデバイスであるネットワークデバイス１１０は、ワイヤラインＮＩＣ１２２を介してＰＬＣ伝送チャネル１２４に通信可能に接続される。ワイヤラインＮＩＣ１２２は、ＰＬＣ伝送チャネル１２４上で他のネットワークデバイスと情報信号を送信および受信するための、ＭＡＣ処理レイヤとＰＨＹ１ワイヤラインレイヤとを含む。たとえば、ネットワークデバイス１１０は、ワイヤラインＮＩＣ１２２からの情報信号をネットワークデバイス１０２のワイヤラインＮＩＣ１１２に送信し得る。ネットワークデバイス１１０はまた、ネットワークデバイス１０２のワイヤラインＮＩＣ１１２からの情報信号をワイヤラインＮＩＣ１２２において受信し得る。
【００４４】
[0049]  一実施形態では、ＰＬＣ伝送チャネル１２４は、自宅または他の建造物内にワイヤまたはケーブル媒体を備え得る。たとえば、ＰＬＣ伝送チャネル１２４は、自宅または他の建造物内にＡＣ電力分配配線を備え得る。ＰＬＣ伝送チャネル１２４は、複数のデバイスを通信可能に接続する、ワイヤラインローカルエリアネットワーク（ＬＡＮ）内などの物理的伝送接続性を提供し得る。ワイヤレス伝送チャネル１２６は、ワイヤレスＬＡＮ内のデバイス間の接続性を提供し得る。一実施形態では、ネットワークデバイス１０２は、ワイヤラインＬＡＮ中に含まれ得るデバイス（たとえば、ネットワークデバイス１１０）をワイヤレスＬＡＮ中に含まれ得るデバイス（たとえば、ネットワークデバイス１０８）に通信可能に接続するためのハイブリッドブリッジとして構成され得る。
【００４５】
[0050]  図示されたネットワーク環境は、ネットワークデバイス１０４と１０６とをさらに含む。ネットワークデバイス１０４および１０６は、それぞれハイブリッドＮＩＣ１１６および１１８を含む。ハイブリッドＮＩＣ１１６および１１８の各々は、ワイヤライン伝送チャネル１２４とワイヤレス伝送チャネル１２６の両方の上で情報信号を送信および受信するように構成され得る。ネットワークデバイス１０２内のワイヤラインＮＩＣ１１２およびワイヤレスＮＩＣ１１４と同様に、ハイブリッドＮＩＣ１１６および１１８は各々、ＭＡＣ処理レイヤを含む。しかしながら、ハイブリッドＮＩＣ１１６および１１８の各々は、少なくとも１つのワイヤラインチャネルおよび少なくとも１つのワイヤレスチャネル上で所与の情報信号を送信または受信するように構成されたハイブリッド物理レイヤＰＨＹ１／ＰＨＹ２をさらに含む。一実施形態では、図２および図３に関して説明されたように、ハイブリッドＮＩＣ１１６および１１８の各々のハイブリッド物理レイヤは、デュアルチャネル送信機を含み得る。ハイブリッドＮＩＣ１１６および１１８の各々のハイブリッド物理レイヤは、デュアルチャネル受信機をさらに含み得る。
【００４６】
[0051]  図２に関してさらに説明されるように、ハイブリッドＮＩＣ１１６および１１８の各々は、ワイヤライン送信機フロントエンドとワイヤレス送信機フロントエンドとを有するハイブリッドデュアルチャネル送信インターフェース（hybrid, dual channel transmit interface）として構成された構造および／または論理を含み得る。ワイヤライン送信機フロントエンドおよびワイヤレス送信機フロントエンドは各々、共通ベースバンド情報信号を受信することができ、その結果、各々は、同じベースバンド情報信号のそれぞれ変調された（たとえば、ＲＦ変調されたおよびＰＬＣ変調された）コピーを送信することができる。図３に関してさらに説明されるように、ＮＩＣ１１６および１１８の各々は、各々がワイヤラインチャネルおよびワイヤレスチャネル上でそれぞれの送信信号内で符号化された同じベースバンド情報信号を受信するワイヤライン受信機フロントエンドとワイヤレス受信機フロントエンドとを有するハイブリッドデュアルチャネル受信インターフェースをさらに含み得る。
【００４７】
[0052]  そのようなものとして構成されたネットワークデバイス１０４および１０６は、ＰＬＣ伝送チャネル１２４またはワイヤレス伝送チャネル１２６のいずれかの上でネットワークデバイスのうちのいずれかとベースバンド情報信号を送信および受信し得る。さらに、ネットワークデバイス１０４および１０６は、互いとおよびネットワークデバイス１０２などのネットワークデバイスと通信するための送信モードを動的に選択し得る。
【００４８】
[0053]  図２および図３は、それぞれ、デュアルチャネル送信機とデュアルチャネル受信機とを示す。デュアルチャネル送信機およびデュアルチャネル受信機は、図１に示されるネットワークデバイス中に含まれるＰＨＹ１レイヤ、ＰＨ２レイヤ、およびＰＨＹ１／ＰＨ２レイヤのうちの１つまたは複数内に構成要素を備え得る。図２に示されるデュアルチャネル送信機は、送信モードコントローラとガードインターバルコントローラとを含み得る。モードコントローラおよびガードインターバルコントローラは、ネットワークデバイスへのデュアル媒体／チャネル送信を容易にすることができる。図３に示されるデュアルチャネル受信機は、ダイバーシティ選択ユニットとダイバーシティ合成ユニットとを含み得る。ダイバーシティ選択ユニットおよびダイバーシティ合成ユニットは、デュアルチャネル受信機性能を促進することができる。本開示は、図２のより詳細な説明を進める。
【００４９】
[0054]  図２は、一実施形態によるハイブリッドデュアルチャネル送信機２００を示すブロック図である。図示された実施形態では、デュアルチャネル送信機２００は、直交周波数分割多重（ＯＦＤＭ）符号化を適用し得る。ＯＦＤＭは、一態様では、複数のキャリア周波数上でバイナリ情報を符号化することとして特徴づけられ得る。デュアルチャネル送信機２００は、各々が情報信号のそれぞれフォーマットされた送信コピーを送信するワイヤレス（たとえば、ＲＦ）インターフェースとワイヤライン（たとえば、ＰＬＣ）インターフェースとを含むので、「ハイブリッド（hybrid）」として分類され得る。
【００５０】
[0055]  図２に示されているように、デュアルチャネル送信機２００は、上位プロトコルレイヤ２０５からベースバンドデータビットのストリームを受信するベースバンドプロセッサ（baseband processor）２０２を含む。ベースバンドデータビットのストリームは、上位レベルプロトコルレイヤ２０５から生成されたベースバンド信号であり得る情報信号を含み得る。ベースバンドデータビットのストリームはまた、上位レベルプロトコルレイヤ２０５が情報信号を送信すると決定したネットワークデバイスのアドレス（たとえば、ＩＰアドレスおよび／またはＭＡＣアドレス）を含み得る。
【００５１】
[0056]  ベースバンドプロセッサ２０２は、エンコーダ２０４と、逆高速フーリエ変換（ＩＦＦＴ：Inverse Fast Fourier Transform）ユニット２０６と、デジタル信号プロセッサ（ＤＳＰ）２０８とを含み得る。エンコーダ２０４は、Ｔsym秒ごとになど、周期的な様式でビットのセグメント中でデータビットのストリームを受信し得、ここで、Ｔsymはシンボル間隔（symbol interval）である。エンコーダ２０４は、ビットセグメントを符号化し、符号化されたビットセグメントをいくつかのサブセグメントに再分割し得る。エンコーダ２０４はまた、サブセグメントをコンスタレーションパターン中の複素数値点にマッピングするために、サブセグメントの直交振幅変調符号化を実行し得る。コンスタレーションパターン中の各複素数値点は、位相および振幅の離散値を表し得る。次いで、エンコーダ２０４は、ＩＦＦＴユニット２０６への入力として、周波数領域サブシンボルの対応するシーケンスＰＳ0〜ＰＳNを渡し得る。ＩＦＦＴユニット２０６は、同相および直交シフトデジタル成分で構成される時間領域ＯＦＤＭシンボルを生成するために、サブシンボルのシーケンスに対して逆高速フーリエ変換を実行し得る。
【００５２】
[0057]  ＩＦＦＴユニット２０６によって生成される時間領域ＯＦＤＭシンボルは、ＯＦＤＭシンボルに対してスペクトル整形を実行し得るＤＳＰ２０８によって受信され得る。図示された実施形態では、ＤＳＰ２０８はガードインターバルコントローラ２１０を含み得る。ガードインターバルコントローラ２１０は、各ＯＦＤＭシンボルの前にプレフィックス（prefix）として長さＴgの送信ガードインターバルを挿入し得る。サイクリックプレフィックス（cyclic prefix）と呼ばれることもある送信ガードインターバルは、対応するＯＦＤＭシンボルの部分の繰返しであり得る。送信ガードインターバルは、連続するシンボル間のシンボル間干渉（ＩＳＩ：inter-symbol interference）を防ぐために、通信チャネルインパルス応答よりも長くなるように構成され得る。異なる伝送媒体（transmission media）に対して、異なる長さの送信ガードインターバルが選択され得る。たとえば、ワイヤレス送信（wireless transmission）に使用される送信ガードインターバルは、ワイヤライン送信（wireline transmission）に使用される送信ガードインターバルよりも短くてもよい。さらに、ＰＬＣ媒体および同軸ケーブルなどの異なるワイヤライン媒体（wireline media）に対して、異なる長さの送信ガードインターバルが選択され得る。
【００５３】
[0058]  ベースバンドプロセッサ２０２は、２つの別個の経路中の時間領域シンボルの同相（Ｉ）および直交シフト（Ｑ）デジタル成分を、一組のデジタルアナログ変換器（ＤＡＣ：digital-to-analog converter）２１２および２１４にそれぞれ渡し得る。ＤＡＣ２１２は、時間領域ＯＦＤＭシンボルの同相（Ｉ）成分をアナログ信号に変換し得、そのアナログ信号は、各々がキャリア周波数ｆcを有する中間周波数（ＩＦ：intermediate frequency）キャリア信号と対応する直交シフトＩＦ信号とを変調して同相および直交シフトＩＦ  ＯＦＤＭパスバンド信号を生成するために、混合器（mixer）２１６によって使用される。同様に、ＤＡＣ２１４は、時間領域ＯＦＤＭシンボルの直交シフト（Ｑ）成分をアナログ信号に変換し得、そのアナログ信号は、各々がキャリア周波数ｆcを有するＩＦキャリア信号と対応する直交シフトＩＦ信号とを変調して同相および直交シフトＩＦ  ＯＦＤＭパスバンド信号を生成するために、混合器２１８によって使用される。次いで、混合器２１６および２１８によって生成された同相および直交シフトＩＦ  ＯＦＤＭパスバンド信号は、複合ベースバンドＩＦ信号（composite baseband IF signal）を形成するために、信号合成器（signal combiner）２２０において合成される。
【００５４】
[0059]  複合ベースバンドＩＦ信号は、ＲＦフロントエンドユニット２２２の形態のワイヤレスインターフェースによって受信され得る。他の構成要素に加えて、ＲＦフロントエンドユニット２２２は、ＲＦ混合器２２４と、ＲＦ増幅器２２６と、アンテナ２２８とを含み得る。ＲＦ混合器２２４は、周波数ｆtcを有する送信キャリア信号を変調してワイヤレスチャネル上のアンテナ２２８を介して送信され得るＲＦ  ＯＦＤＭ変調キャリア信号を生成するために、複合ベースバンドＩＦ信号を受信し、使用する。
【００５５】
[0060]  混合器２１６および２１８によって生成された同相および直交シフトＩＦ  ＯＦＤＭパスバンド信号は、ＰＬＣドライバ２３４などのワイヤラインインターフェース（wireline interface）によって受信され得る。ＰＬＣドライバ２３４は、多入力多出力（ＭＩＭＯ：multiple-input multiple-output）モジュール２３２を含み得る。ＭＩＭＯモジュール２３２は、ＰＬＣドライバ２３４がワイヤライン伝送媒体２４０上で２つのＩＦ  ＯＦＤＭパスバンド信号を送信することができる別個のチャネルを提供し得る。
【００５６】
[0061]  一実施形態では、デュアルチャネル送信機２００は送信モードコントローラ２３６をさらに含み得る。送信モードコントローラ２３６は、ワイヤレス専用（wireless-only）、ワイヤライン専用（wireline- only）、または合成されたワイヤレスとワイヤライン（デュアルチャネル（dual channel））などの送信モードを決定するための構成要素を含み得る。たとえば、送信モードコントローラ２３６は、ベースバンドプロセッサ２０２から出力された情報信号（今では、元の時間領域情報信号のＩデジタル成分とＱデジタル成分とを備える）がＲＦフロントエンドユニット２２２のみから送信されるべきか、ＰＬＣドライバ２３４のみから送信されるべきか、またはＲＦフロントエンドユニット２２２とＰＬＣドライバ２３４の両方から送信されるべきかを決定し得る。送信モードコントローラ２３６は、送信モード制御を実装するための様々な機構を使用し得る。たとえば、一組のスイッチ２４２および２４４は、送信モード制御を実装するために送信モードコントローラ２３６に組み込まれるか、またはさもなければ送信モードコントローラ２３６によって利用され得る。一実施形態では、送信モードコントローラ２３６は、信号合成器２２０からＲＦフロントエンドユニット２２２への複合信号の通過を有効または無効のいずれかにするためにスイッチ２４２を作動させる１つまたは複数の制御信号を出すための構成要素を備え得る。送信モードコントローラ２３６はまた、混合器２１６および２１８からＰＬＣドライバ２３４への変調された二部情報信号（modulated two-part information signal）の通過を有効または無効のいずれかにするためにスイッチ２４４を作動させる１つまたは複数の制御信号を出すための構成要素を備え得る。
【００５７】
[0062]  送信モード選択（たとえば、ワイヤレス専用、ワイヤライン専用、デュアルチャネル）は、受信ネットワークデバイスの受信インターフェース構成に少なくとも部分的に基づき得る。図示された実施形態では、送信モードコントローラ２３６は、ネットワーク内の受信機構成と受信インターフェース構成とを決定するために、構成データ（configuration data）２４５にアクセスし得る。送信モードコントローラ２３６は、情報信号をネットワークデバイスに送信すると決定し得、ネットワークデバイスの受信機構成を識別するために構成データ２４５にアクセスし得る。たとえば、ネットワークデバイスがワイヤレス受信インターフェースのみを含むと決定したことに応答して、送信モードコントローラ２３６はワイヤレス専用送信モードを選択し得る。送信モードコントローラ２３６は、混合器２１６および２１８からの出力をＲＦフロントエンドユニット２２２のみに渡すためにスイッチ２４２および２４４の位置を制御することによって、ワイヤレス専用送信モードを有効にすることができる。いくつかの事例では、送信モードコントローラ２３６はワイヤライン専用送信モードを選択し得る。たとえば、ネットワークデバイスがワイヤライン受信インターフェースのみを含むと決定したことに応答して、送信モードコントローラ２３６はワイヤライン専用送信モードを選択し得る。送信モードコントローラ２３６は、混合器２１６および２１８からの出力をＰＬＣドライバ２３４のみに渡すためにスイッチ２４４を閉に維持し、スイッチ２４２を開くことによって、ワイヤライン専用送信モードを有効にすることができる。いくつかの事例では、送信モードコントローラ２３６はデュアルチャネル送信モードを選択し得る。たとえば、ネットワークデバイスがワイヤレス受信インターフェースとワイヤライン受信インターフェースの両方を含むと決定したことに応答して、送信モードコントローラ２３６はデュアルチャネル送信モードを選択し得る。送信モードコントローラ２３６は、混合器２１６および２１８からの出力をそれぞれＲＦフロントエンドユニット２２２およびＰＬＣドライバ２３４に渡すためにスイッチ２４２と２４４の両方を閉に維持することによって、デュアルチャネル送信モードを有効にすることができる。
【００５８】
[0063]  いくつかの事例では、送信モード選択は、ワイヤレス送信チャネルおよび／またはワイヤライン送信チャネル上で検出されたトラフィックレベル（traffic level）に少なくとも部分的に基づき得る。図示された実施形態では、送信モードコントローラ２３６は、ワイヤレスチャネルトラフィック入力部（wireless channel traffic input）２４７上で受信された入力から、ワイヤレスチャネル（たとえば、アンテナ２２８によって使用されるチャネル）上のトラフィックレベルを検出し得る。送信モードコントローラ２３６はまた、ワイヤライントラフィック入力部（wireline traffic input）２４９上で受信された入力から、ワイヤラインチャネル（たとえば、ＰＬＣ伝送媒体２４０）上のトラフィックレベルを検出し得る。送信モードコントローラ２３６は、受信機構成とトラフィックレベル情報の組合せに基づいて送信モードを選択し得る。たとえば、送信モードコントローラ２３６は、ネットワークデバイスがデュアルチャネル構成において合成されないワイヤレス受信インターフェースとワイヤライン受信インターフェースの両方を含むと決定し得る。送信モードコントローラ２３６は、ワイヤライントラフィックレベルがしきい値（threshold）を超えるかどうかをさらに決定し得る。ワイヤライントラフィックレベルがしきい値を超える場合、送信モードコントローラ２３６は、ワイヤレス専用送信モードを選択し、ワイヤレス専用送信モード信号（wireless-only transmit mode signal）を信号入力部（signal input）２３５を介してガードインターバルコントローラ２１０に送り得る。ワイヤライントラフィックレベルがしきい値を下回る場合、送信モードコントローラ２３６は、ワイヤライン専用送信モードを選択し、ワイヤライン専用送信モード信号（wireline-only transmit mode signal）をガードインターバルコントローラ２１０に送り得る。ガードインターバルコントローラ２１０は、ワイヤレス専用送信モード信号が受信されるか、またはワイヤライン専用送信モード信号が受信されるかに基づいて、送信ガードインターバルを調整し得る。
【００５９】
[0064]  一実施形態では、送信モード選択は、少なくとも部分的に、ベースバンドプロセッサ２０２内の情報信号中のシンボル間に挿入されるべき送信ガードインターバルを決定するために利用され得る。たとえば、受信ネットワークデバイスがワイヤレス受信機インターフェースのみを含むと決定したことに応答して、送信モードコントローラ２３６は、送信モード信号を信号入力部２３５を介してガードインターバルコントローラ２１０に送り得る。送信モード信号は、ワイヤレス専用送信モード、ワイヤライン専用送信モード、またはデュアルチャネル送信モードを示し得る。ガードインターバルコントローラ２１０は、送信モードコントローラ２３６によって選択された送信モードに少なくとも部分的に基づいて、送信ガードインターバルを選択し得る。たとえば、送信モード信号がワイヤレス専用送信モードを示すことに応答して、ガードインターバルコントローラ２１０は、ＲＦ  ＯＦＤＭチャネルに対応する送信ガードインターバルを選択し得る。送信モード信号がワイヤライン専用送信モードを示すことに応答して、ガードインターバルコントローラ２１０は、ワイヤライン送信に使用される物理媒体（physical medium）（たとえば、ＰＬＣワイヤラインまたは同軸ケーブル）に対応する送信ガードインターバルを選択し得る。送信モード信号がデュアルチャネル送信モードを示すことに応答して、ガードインターバルコントローラ２１０は、ワイヤライン送信媒体のより長いガードインターバル（longer guard interval）を選択し得る。
【００６０】
[0065]  図３は、一実施形態による、ダイバーシティ受信用に構成され得るデュアルチャネル受信機３００を示すブロック図である。図示された実施形態では、デュアルチャネル受信機３００は、直交周波数分割多重（ＯＦＤＭ）復号を実装し得る。図示のように、デュアルチャネル受信機３００は、アンテナ３０２と、ＲＦ増幅器（ＲＦアンプ）３０４と、アナログデジタル変換器（ＡＤＣ）３０６と、復調ユニット（demodulation unit）３０８とを備え得るワイヤレス受信インターフェース３３０を含む。アンテナ３０２によって受信されたＲＦ  ＯＦＤＭ信号は、ＲＦアンプ３０４によって増幅され得る。増幅されたＲＦ  ＯＦＤＭ信号は、ＡＤＣ３０６によってサンプリングおよびデジタル化される前に、中間周波数にダウンコンバートされ、次いでチューナー（図示せず）などによってフィルタリングされ得る。復調ユニット３０８は、ＡＤＣ３０６から受信されたデジタル信号から、同相成分信号（Ｉ信号）および直交シフト成分信号（Ｑ信号）の形態の直交信号（orthogonal signal）を生成する。
【００６１】
[0066]  デュアルチャネル受信機３００は、ワイヤライン受信インターフェース３３２をさらに含み得る。ワイヤライン受信インターフェース３３２は、数ある構成要素の中でも特に、ＰＬＣ利得制御ユニット３１０と、ＡＤＣ３１２と、復調ユニット３１４とを含み得る。ＰＬＣ利得制御ユニット３１０は、ＰＬＣ伝送媒体３０３上で受信されたＩＦ  ＯＦＤＭ信号を増幅する。周波数ダウンコンバージョン（たとえば、ベースバンドに変換）およびチューナー（図示せず）などによるフィルタリングの後、増幅されたベースバンドＯＦＤＭ信号は、ＡＤＣ３１２によってサンプリングおよびデジタル化される。復調ユニット３１４は、ＡＤＣ３１２から受信されたデジタル信号から、同相成分信号（Ｉ信号）および直交シフト成分信号（Ｑ信号）の形態の直交信号を生成する。
【００６２】
[0067]  デュアルチャネル受信機３００は、デュアルチャネル受信品質を改善するために二部ダイバーシティ受信機構（two-part diversity reception mechanism）を実装し得る。図示された実施形態では、二部機構は、ダイバーシティ選択ユニット３１６と、ダイバーシティ合成ユニット３２０とを備え得る。ダイバーシティ選択ユニット３１６は、ワイヤレス信号およびワイヤライン信号のいずれかまたは両方をさらなる処理のために選択的に渡すために利用され得る。たとえば、ダイバーシティ選択ユニット３１６は、絶対信号強度または相対信号強度に応じて、ワイヤレス受信インターフェース３３０からの信号またはワイヤライン受信インターフェース３３２からの信号のいずれかをさらなる処理のために選択的に渡し得る。ダイバーシティ選択ユニット３１６がワイヤレス受信インターフェース３３０とワイヤライン受信インターフェース３３２の両方からの信号をさらなる処理のために渡すとき、ダイバーシティ合成ユニット３２０は、受信品質を改善するために信号を合成し得る。
【００６３】
[0068]  図３に示されているように、ダイバーシティ選択ユニット３１６は、ワイヤレス受信インターフェース３３０からＩＱ信号対を受信し得る。ダイバーシティ選択ユニット３１６はさらに、ワイヤライン受信インターフェースからＩＱ信号対を受信し得る。ダイバーシティ選択ユニット３１６は、さらに処理されるべきＩＱ信号対のいずれかまたは両方を選択し得る。選択は、ワイヤレス受信インターフェース３３０およびワイヤライン受信インターフェース３３２の各々から受信された信号強度インジケータ（signal strength indicator）を使用して行われ得る。たとえば、ダイバーシティ選択ユニット３１６は、アンテナ３０２から信号強度インジケータ（たとえば、信号強度を示す信号）を受信し、サンプリングし得る。ダイバーシティ選択ユニット３１６はさらに、ＰＬＣ伝送媒体３０３から信号強度インジケータを受信し、サンプリングし得る。ダイバーシティ選択ユニット３１６は、ワイヤレス受信インターフェース３３０に関連付けられた信号強度（すなわち、ワイヤレス信号強度）とワイヤライン受信インターフェース３３２に関連付けられた信号強度（すなわち、ワイヤライン信号強度）とを決定するために信号強度インジケータを処理し得る。
【００６４】
[0069]  ダイバーシティ選択ユニット３１６は、ワイヤレス信号強度（wireless signal strength）をワイヤライン信号強度（wireline signal strength）と比較し得る。ダイバーシティ選択ユニット３１６は、ワイヤレス信号強度をしきい値ワイヤレス信号強度と任意選択で比較し得る。ダイバーシティ選択ユニット３１６はまた、ワイヤライン信号強度をしきい値ワイヤライン信号強度と任意選択で比較し得る。ワイヤレス信号強度および／またはワイヤライン信号強度がそれぞれのしきい値を超えると決定したことに応答して、ダイバーシティ選択ユニット３１６は、一方または両方のＩＱ信号対を対応する高速フーリエ変換（ＦＦＴ：Fast Fourier Transform）ユニット３１８または３１９に選択的に渡し得る。たとえば、ワイヤレス信号強度がしきい値ワイヤレス信号強度を超え、ワイヤライン信号強度がしきい値ワイヤライン信号強度を下回るとダイバーシティ選択ユニット３１６が決定した場合、ダイバーシティ選択ユニット３１６は、復調ユニット（demodulation unit）３０８からＦＦＴユニット３１８にＩＱ信号対を渡し得る。同様に、ワイヤライン信号強度がしきい値ワイヤライン信号強度を超え、ワイヤレス信号強度がしきい値ワイヤレス信号強度を下回るとダイバーシティ選択ユニット３１６が決定した場合、ダイバーシティ選択ユニット３１６は、復調ユニット３１４からＦＦＴユニット３１９にＩＱ信号対を渡し得る。
【００６５】
[0070]  一実施形態では、ワイヤレス信号強度とワイヤライン信号強度の両方が同じまたはそれぞれのしきい値信号強度（threshold signal strength）を超えると決定したことに応答して、ダイバーシティ選択ユニット３１６は、より大きい相対信号強度を有する信号インターフェースからＩＱ信号対を渡し得る。他の実施形態では、ワイヤレス信号強度またはワイヤライン信号強度のいずれも同じまたはそれぞれのしきい値信号強度を超えない場合、ダイバーシティ選択ユニット３１６は、それぞれ復調ユニット３０８および３１４からＦＦＴユニット３１８および３１９に両方のＩＱ信号対を渡し得る。
【００６６】
[0071]  ＦＦＴユニット３１８および３１９は、復調ユニット３０８および３１４のいずれかまたは両方からダイバーシティ選択ユニット３１６を介してＩＱ信号を受信し得る。たとえば、ダイバーシティ選択ユニット３１６は、復調ユニット３０８からＦＦＴユニット３１８にＩＱ信号対を渡す一方で、復調ユニット３１４からＦＦＴユニット３１９にＩＱ信号対を渡さないことがある。代替的に、ダイバーシティ選択ユニット３１６は、復調ユニット３０８からＦＦＴユニット３１８にＩＱ信号対を渡す一方で、復調ユニット３１４からＦＦＴユニット３１９にもＩＱ信号対を渡すことがある。ＦＦＴユニット３１８および３１９は、ＩＱ信号を時間領域から周波数領域に変換し得る。ダイバーシティ選択ユニット３１６がワイヤレス受信インターフェースとワイヤライン受信インターフェースの両方からＩＱ信号対を渡すことを選択するとき、ダイバーシティ合成ユニット３２０は、周波数領域においてＦＦＴユニット３１８および３１９から受信されたＩＱ信号対を合成し得る。デコーダ３２２は、ダイバーシティ合成ユニット３２０から出力を受信し、情報信号を時間領域ベースバンドビットストリームとして復元するために周波数領域信号を復号し得る。ダイバーシティ合成ユニット３２０からの出力は、合成されたＩＱ信号対であり得るか、またはＦＦＴユニット３１８および３１９の一方のみから受信された単一のＩＱ信号であり得る。
【００６７】
[0072]  図１〜図３はいくつかの実施形態の構成要素を示しているが、本明細書はいくつかの実施形態の動作を示す流れ図の説明を続ける。
【００６８】
[0073]  図４は、一実施形態による、送信モード選択およびガードインターバル選択のための動作を示す流れ図である。図３の動作は、図２に示されるデュアルチャネル送信機２００などの送信機によって実行され得る。プロセスは、送信機が、図２の構成データ２４５において収集され得るなどのようなネットワーク受信機構成情報（network receiver configuration information）を受信するブロック４０２において始まる。一実施形態では、受信機構成情報は、１つまたは複数のネットワークデバイスの受信機内に組み込まれた受信機インターフェースのタイプを指定し得る。たとえば、受信機構成情報は、ネットワークデバイスがワイヤレス受信インターフェースのみを有する受信機を含むことを指定し得る。受信機構成情報は、別のネットワークデバイスがワイヤライン受信インターフェースのみを有する受信機を含むことを指定し得る。受信機構成情報は、また別のネットワークデバイスがワイヤレス受信インターフェースとワイヤライン受信インターフェースの両方を有する受信機を含むことを指定し得る。
【００６９】
[0074]  流れは、送信機がネットワークデバイスに送信すると決定するブロック４０４において続く。ブロック４０６において、送信モードコントローラ２３６などの送信モードコントローラは、ネットワークデバイスがワイヤレス受信アクセスとワイヤライン受信アクセスの両方を含むかどうかを決定し得る。送信モードコントローラは、ネットワークデバイスに対応するかまたはさもなければネットワークデバイスに関連付けられた情報を見つけるために、受信機構成情報にアクセスし得る。たとえば、送信モードコントローラは、受信機構成情報から、図１のネットワークデバイス１０８および１１０のようなネットワークデバイスがワイヤレス受信アクセスのみまたはワイヤライン受信アクセスのみを含むと決定し得る（ブロック４０８）。単一のチャネル受信アクセスがワイヤレスアクセスであると決定したことに応答して、送信モードコントローラはワイヤレス専用送信モードを選択し得る（ブロック４１０）。送信モードコントローラは、ワイヤレス専用送信モード信号をガードインターバルコントローラ２１０などのガードインターバルコントローラに送り得る。ワイヤレス専用送信モード信号を受信したことに応答して、ガードインターバルコントローラは、ワイヤレスチャネルに対応するガードインターバル（guard interval）を選択し、実装し得る（ブロック４１２）。単一のチャネル受信アクセスがワイヤラインアクセスであると決定した（ブロック４１０）ことに応答して、送信モードコントローラはワイヤライン専用送信モード（ブロック４１４）を選択し得る。送信モードコントローラは、ワイヤライン専用送信モード信号をガードインターバルコントローラに送り得る。ワイヤライン専用送信モード信号を受信したことに応答して、ガードインターバルコントローラは、ワイヤライン伝送媒体に対応するガードインターバルを選択し、実装し得る（ブロック４１６）。
【００７０】
[0075]  再びブロック４０６を参照すると、送信モードコントローラは、受信機構成情報から、ネットワークデバイスがワイヤレス受信アクセスとワイヤライン受信アクセスとを含むと決定し得る。たとえば、送信モードコントローラは、図１のネットワークデバイス１０２のようなネットワークデバイスが、ワイヤレス受信インターフェースを有する第１のネットワークインターフェースと、ワイヤライン受信インターフェースを有する第２のネットワークインターフェースとを含むと決定し得る。代替的に、送信モードコントローラは、図１のネットワークデバイス１０４および１０６のようなネットワークデバイスが、単一のネットワークインターフェースおよび／または単一の受信機内で合成されたワイヤレス受信インターフェースとワイヤライン受信インターフェースとを含むと決定し得る。デュアルチャネル受信機３００は、ワイヤレス受信インターフェースとワイヤライン受信インターフェースの両方を含む例示的な受信機である。
【００７１】
[0076]  ワイヤレス受信インターフェースおよびワイヤライン受信インターフェースが受信機内で合成されていないと決定した（ブロック４１８）ことに応答して、送信モードコントローラは、ワイヤライン伝送チャネル上のネットワークトラフィックレベルがしきい値レベルを超えるかどうかをさらに決定し得る（ブロック４２０）。ワイヤライン媒体上のネットワークトラフィックレベルがしきい値レベルを超えない場合、送信モードコントローラはワイヤライン専用送信モードを選択し得る（ブロック４１４）。送信モードコントローラは、ワイヤライン専用送信モード信号をガードインターバルコントローラに送り得る。ワイヤライン専用送信モード信号を受信したことに応答して、ガードインターバルコントローラは、ワイヤライン媒体に対応するガードインターバルを選択し、実装し得る（ブロック４１６）。
【００７２】
[0077]  再びブロック４２０を参照すると、ワイヤライン媒体上のネットワークトラフィックレベルがしきい値レベルを超える場合、送信モードコントローラはワイヤレス専用送信モードを選択し得る（ブロック４１０）。送信モードコントローラは、ワイヤレス専用送信モード信号をガードインターバルコントローラに送り得る。ワイヤレス専用送信モード信号を受信したことに応答して、ガードインターバルコントローラは、ワイヤレスチャネルに対応するガードインターバルを選択し、実装し得る（ブロック４１２）。
【００７３】
[0078]  再びブロック４１８を参照すると、ネットワークデバイスのワイヤレス受信インターフェースおよびワイヤライン受信インターフェースが受信機内で合成される場合、送信モードコントローラは、デュアルチャネル送信モードを選択し、対応するデュアルチャネル送信モード信号をガードインターバルコントローラに送り得る。デュアルチャネル送信モード信号を受信したことに応答して、ガードインターバルコントローラは、ワイヤライン媒体に対応するガードインターバルを選択し得る（ブロック４２９）。デュアルチャネル送信機は、情報信号をワイヤレス送信インターフェースおよびワイヤライン送信インターフェースからネットワークデバイスに送信することを開始し得る（ブロック４３０）。情報信号は、多くの種類のデータまたはメッセージ送信を備え得る。たとえば、情報信号は、連続的に送信されるデータストリームを備え得る。
【００７４】
[0079]  送信している間、送信モードコントローラは、ワイヤレスチャネルおよびワイヤラインチャネルの各々の上の通信トラフィックを監視し得る（ブロック４３２）。たとえば、送信モードコントローラは、図２のワイヤレスチャネルトラフィック入力部２４７およびワイヤライントラフィック入力部２４９からの入力を検出することによって、ワイヤレスチャネルトラフィックとワイヤラインチャネルトラフィックとを監視し得る。ワイヤレスチャネルとワイヤラインチャネルの両方の上のトラフィックレベルがそれぞれのワイヤレスしきい値とワイヤラインしきい値とを超えない間、デュアルチャネル送信が継続し得る（ブロック４３４）。ワイヤレスチャネルおよび／またはワイヤラインチャネルの両方ではなくいずれかの上のトラフィックレベルがしきい値レベルを超える場合（ブロック４３６）、送信モードコントローラは、非超過チャネルを排他的な送信モードとして選択し得る（ブロック４３８）。たとえば、ワイヤレスチャネル上のトラフィックレベルがワイヤレストラフィックしきい値を超え、ワイヤラインチャネル上のトラフィックレベルがワイヤラインしきい値を超えない場合、送信モードコントローラは、ワイヤライン専用送信モードを選択し得る。送信モードコントローラはまた、対応するワイヤライン専用送信モード信号をガードインターバルコントローラに送り得る。送信モード選択信号（ワイヤレス専用またはワイヤライン専用）を受信したことに応答して、ガードインターバルコントローラは、しきい値を超えなかったチャネルに対応する送信ガードインターバルを選択し、実装し得る（ブロック４４０）。ワイヤレスチャネルおよび／またはワイヤラインチャネルの両方の上のトラフィックレベルがそれぞれのしきい値レベルを超えると決定したことに応答して、デュアルチャネル送信機は、両方のチャネル上で情報信号を送信することを継続し得る（ブロック４３６および４３０）。
【００７５】
[0080]  図５は、一実施形態による、受信ダイバーシティを容易にするための動作を示す流れ図である。図５に示される動作は、ダイバーシティ選択ユニットとダイバーシティ合成ユニットとを含むように構成された、図３のデュアルチャネル受信機３００などのデュアルチャネル受信機によって実行され得る。ダイバーシティ選択ユニットは、第１の復調ユニットからワイヤレス受信インターフェース信号を、第２の復調ユニットからワイヤライン受信信号を受信するように構成され得る。ダイバーシティ選択ユニットはまた、ワイヤレス受信インターフェース信号および／またはワイヤライン受信インターフェース信号のいずれかまたは両方を第１の周波数領域変換器および第２の周波数領域変換器に渡すように構成され得る。プロセスは、デュアルチャネル受信機がワイヤレス受信チャネルおよびワイヤライン受信チャネル上で情報信号を受信するブロック５０２において始まる。ブロック５０４において、ダイバーシティ選択ユニットは、ワイヤレスチャネルおよびワイヤラインチャネル上で受信された情報信号の信号強度をサンプリングし得る。一実施形態では、ダイバーシティ選択ユニットは、ワイヤレス受信インターフェースおよびワイヤライン受信インターフェースの各々から信号強度インジケータを取得し、処理し得る。たとえば、信号強度インジケータは、ＲＦアンテナからおよびワイヤライン媒体入力からサンプリングされ得る。信号強度インジケータは、ワイヤレスチャネル信号強度とワイヤラインチャネル信号強度とを決定するために処理され得る。
【００７６】
[0081]  ブロック５０６において、ダイバーシティ選択ユニットは、ワイヤレスチャネル信号強度をワイヤラインチャネル信号強度と比較し得る。ダイバーシティ選択ユニットはまた、ワイヤレスチャネル信号強度およびワイヤラインチャネル信号強度の各々を１つまたは複数のしきい値信号強度と比較し得る（ブロック５０８）。たとえば、ダイバーシティ選択ユニットは、ワイヤレスチャネル信号強度とワイヤラインチャネル信号強度の両方を１つの信号強度しきい値と比較し得る。別の例として、ダイバーシティ選択ユニットは、ワイヤレスチャネル信号強度を第１の信号強度しきい値と比較し得、ワイヤラインチャネル信号強度を第２の信号強度しきい値と比較し得る。
【００７７】
[0082]  ワイヤレス信号強度またはワイヤライン信号強度のうちの一方が信号強度しきい値を超え、他方が超えない場合、ダイバーシティ選択ユニットは、対応する復調ユニットから対応する周波数領域変換器に受信インターフェース信号を渡し得る。たとえば、ワイヤレス信号強度が信号強度しきい値を超え、ワイヤライン信号強度が信号強度しきい値を下回るとダイバーシティ選択ユニットが決定した場合、ダイバーシティ選択ユニットは、ワイヤレス受信インターフェース復調ユニットから対応する周波数領域変換器に信号対を渡し得る。ワイヤレス信号強度とワイヤライン信号強度の両方が同じまたはそれぞれの信号強度しきい値を超えると決定したことに応答して、ダイバーシティ選択ユニットは、どちらかの復調ユニットからの信号を渡し得、その復調ユニットは、より強い信号強度を有する信号インターフェースに属する（ブロック５１０および５１２）。たとえば、ワイヤレス信号強度とワイヤライン信号強度の両方が信号強度しきい値を超える場合、ダイバーシティ選択ユニットは、ワイヤライン信号強度がワイヤレス信号強度よりも大きいと決定したことに応答して、ワイヤライン受信インターフェース信号を渡し得る。一実施形態では、ワイヤレス信号強度もワイヤライン信号強度も信号強度しきい値を超えない場合、ダイバーシティ選択ユニットは、信号を両方の復調ユニットからそれぞれの周波数領域変換器に渡し得る（ブロック５１４）。ブロック５１６において示されるように、周波数領域変換器からの出力信号は信号合成器によって合成され得る。
【００７８】
[0083]  図６は、デュアルチャネル送信機および／またはデュアルチャネル受信機を含み得るハイブリッドネットワークインターフェース６１０を有する例示的なコンピュータシステムを示す。たとえば、ハイブリッドネットワークインターフェース６１０は、ワイヤレスＲＦインターフェース、ＰＬＣインターフェース、イーサネットインターフェース、フレームリレーインターフェース、ＳＯＮＥＴインターフェースなどの中に含まれる送信機構成要素および受信機構成要素とデバイスとを備え得る。コンピュータシステムは、プロセッサ６０２をさらに含む（場合によっては、複数のプロセッサ、複数のコア、複数のノードを含む、および／またはマルチスレッディングを実装する、など）。コンピュータシステムは、システムメモリ（たとえば、キャッシュ、ＳＲＡＭ、ＤＲＡＭ、ゼロキャパシタＲＡＭ、ツイントランジスタＲＡＭ、ｅＤＲＡＭ、ＥＤＯ  ＲＡＭ、ＤＤＲ  ＲＡＭ、ＥＥＰＲＯＭ（登録商標）、ＮＲＡＭ、ＲＲＡＭ（登録商標）、ＳＯＮＯＳ、ＰＲＡＭなどのうちの１つまたは複数）であり得るメモリ６０４あるいは非一時的機械可読記憶媒体の上記ですでに説明された可能な実現形態のうちのいずれか１つまたは複数を含む。コンピュータシステムはまた、バス６０５（たとえば、ＰＣＩ、ＩＳＡ、ＰＣＩ−Ｅｘｐｒｅｓｓ、ＨｙｐｅｒＴｒａｎｓｐｏｒｔ（登録商標）、ＩｎｆｉｎｉＢａｎｄ（登録商標）、ＮｕＢｕｓなど）と、ストレージデバイス（storage device）６０８（たとえば、光ストレージ、磁気ストレージなど）とを含む。ハイブリッドネットワークインターフェース６１０は、図１〜図５を参照しながら上記で説明された特徴を実装するための機能を具現化する。ハイブリッドネットワークインターフェース６１０は、デュアルチャネル信号送信とデュアルチャネル信号受信とを容易にする動作を実行し得る。ハイブリッドネットワークインターフェース６１０は、送信ガードインターバルが最適に選択されるような方法でダイバーシティ送信（diversity transmission）とダイバーシティ受信とを実行し得る。これらの動作のうちのいずれか１つは、部分的に（または完全に）ハードウェアにおいておよび／またはプロセッサ６０２上で実装され得る。たとえば、機能は、特定用途向け集積回路を用いて、プロセッサ６０２において実装される論理において、周辺デバイスまたはカードなどの上のコプロセッサにおいて、実装され得る。さらに、実現形態は、図６に示されていない、より少ないまたは追加の構成要素（たとえば、追加のネットワークインターフェース、周辺デバイスなど）を含み得る。
【００７９】
[0084]  図１〜図６は、実施形態を理解するのを助けることが意図されている例であり、実施形態を限定するかまたは特許請求の範囲を限定するために使用されるべきではないことを理解されたい。実施形態は、追加の動作を実行し、より少ない動作を実行し、動作を異なる順序で実行し、動作を並行して実行し、いくつかの動作を異なるように実行し得る。いくつかの実施形態では、ハイブリッドネットワークインターフェース６１０は、図４および図５の動作を個々にまたは組み合わせて実装することができる。
【００８０】
[0085]  当業者によって諒解されるように、開示される主題の態様は、システム、方法またはコンピュータプログラム製品として具現化され得る。したがって、開示される主題の実施形態は、完全にハードウェアの実施形態、完全にソフトウェアの実施形態（ファームウェア、常駐ソフトウェア、マイクロコードなどを含む）、またはソフトウェア態様とハードウェア態様とを組み合わせる実施形態の形態をとり得、これらはすべて、本明細書では概して「回路」、「モジュール」または「システム」と呼ばれることがある。さらに、開示される主題の実施形態は、その上に具現化されたコンピュータ可読プログラムコードを有する１つまたは複数のコンピュータ可読媒体において具現化されるコンピュータプログラム製品の形態をとり得る。
【００８１】
[0086]  １つまたは複数のコンピュータ可読媒体の任意の組合せが利用され得る。コンピュータ可読媒体は、コンピュータ可読信号媒体またはコンピュータ可読記憶媒体であり得る。コンピュータ可読記憶媒体は、たとえば、限定はしないが、電子、磁気、光、電磁、赤外線、もしくは半導体のシステム、装置、もしくはデバイス、または上記の任意の適切な組合せであり得る。コンピュータ可読記憶媒体のより具体的な例（非網羅的なリスト）は、以下、すなわち、１つもしくは複数のワイヤを有する電気接続、ポータブルコンピュータディスケット、ハードディスク、ランダムアクセスメモリ（ＲＡＭ）、読取り専用メモリ（ＲＯＭ）、消去可能プログラマブル読取り専用メモリ（ＥＰＲＯＭまたはフラッシュメモリ）、光ファイバー、ポータブルコンパクトディスク読取り専用メモリ（ＣＤ−ＲＯＭ）、光ストレージデバイス、磁気ストレージデバイス、または上記の任意の適切な組合せを含む。本明細書の文脈において、コンピュータ可読記憶媒体は、命令実行システム、装置、またはデバイスによってまたはそれらに関連して使用するためのプログラムを含むかまたは記憶することができる、任意の有形媒体であり得る。
【００８２】
[0087]  本明細書では単一の事例として説明される構成要素、動作または構造について複数の事例が与えられ得る。最後に、様々な構成要素、動作およびデータストアの間の境界はどちらかというと恣意的であり、特定の動作は具体的で例示的な構成の文脈において示されている。機能の他の割振りが想定され、開示される主題の範囲内に入り得る。概して、例示的な構成において別個の構成要素として提示される構造および機能は、組み合わされた構造または構成要素として実装され得る。同様に、単一の構成要素として提示される構造および機能は、別個の構成要素として実装され得る。これらおよび他の変形、修正、追加、および改善は、開示される主題の範囲内に入り得る。
【００８３】
[0088]  実施形態は様々な実装形態および活用形態に関して説明されているが、これらの実施形態は例示的なものであり、開示される主題の範囲はそれらに限定されないことを理解されたい。
【図１】
2018525856.tif 000003
【図２】
2018525856.tif 000004
【図３】
2018525856.tif 000005
【図４】
2018525856.tif 000006
【図５】
2018525856.tif 000007
【図６】
2018525856.tif 000008
【手続補正書】
【提出日】平成30年1月23日(2018.1.23)
【手続補正１】
【補正対象書類名】特許請求の範囲
【補正対象項目名】全文
【補正方法】変更
【補正の内容】
【特許請求の範囲】
【請求項１】
デュアルチャネル送信機によって実行される方法であって、
情報信号を宛先ネットワークデバイスに送信すると決定することと、
ワイヤレスチャネル、ワイヤラインチャネル、および前記ワイヤレスチャネルと前記ワイヤラインチャネルの両方の組合せの中から１つまたは複数のチャネルを選択することと、
前記情報信号の連続するシンボル間の送信ガードインターバルを決定することと、前記送信ガードインターバルが、前記１つまたは複数のチャネルに少なくとも部分的に基づく、
前記１つまたは複数のチャネルを介して前記送信ガードインターバルを有する前記情報信号を送信することと
を備える方法。
【請求項２】
前記宛先ネットワークデバイスがワイヤレス受信アクセス、ワイヤライン受信アクセス、またはワイヤレス受信アクセスとワイヤライン受信アクセスの両方の組合せを有するかどうかを決定すること
をさらに備え、前記１つまたは複数のチャネルを選択することが、前記宛先ネットワークデバイスがワイヤレス受信アクセス、ワイヤライン受信アクセス、またはワイヤレス受信アクセスとワイヤライン受信アクセスの両方の前記組合せを有するかどうかの決定に少なくとも部分的に基づく、請求項１に記載の方法。
【請求項３】
前記宛先ネットワークデバイスがワイヤレス受信アクセスのみを有するという前記決定に応答して、前記ワイヤレスチャネルのみを選択することと、
前記ワイヤレスチャネルのみの前記選択に少なくとも部分的に基づいて前記送信ガードインターバルを決定することと
をさらに備える、請求項２に記載の方法。
【請求項４】
前記宛先ネットワークデバイスがワイヤライン受信アクセスのみを有するという前記決定に応答して、前記ワイヤラインチャネルのみを選択することと、
前記ワイヤラインチャネルの送信媒体に少なくとも部分的に基づいて前記送信ガードインターバルを決定することと
をさらに備える、請求項２に記載の方法。
【請求項５】
前記宛先ネットワークデバイスがワイヤレス受信アクセスとワイヤライン受信アクセスの両方を有するという前記決定に応答して、前記ワイヤレスチャネルと前記ワイヤラインチャネルの両方を選択すること
をさらに備える、請求項２に記載の方法。
【請求項６】
前記ワイヤラインチャネルの送信媒体に少なくとも部分的に基づいて前記送信ガードインターバルを決定すること
をさらに備える、請求項５に記載の方法。
【請求項７】
前記ワイヤレスチャネルおよび前記ワイヤラインチャネル上の信号トラフィックを監視すること
をさらに備え、前記１つまたは複数のチャネルを選択することが、前記信号トラフィックに少なくとも部分的に基づく、請求項１に記載の方法。
【請求項８】
前記ワイヤレスチャネル上の前記信号トラフィックがワイヤレスチャネルしきい値を超えることに応答して、前記ワイヤラインチャネルを選択すること
をさらに備える、請求項７に記載の方法。
【請求項９】
前記ワイヤラインチャネル上の前記信号トラフィックがワイヤラインチャネルしきい値を超えることに応答して、前記ワイヤレスチャネルを選択すること
をさらに備える、請求項７に記載の方法。
【請求項１０】
デュアルチャネル送信機であって、
プロセッサと、
前記プロセッサによって実行されたとき、前記デュアルチャネル送信機に、
情報信号を宛先ネットワークデバイスに送信すると決定することと、
ワイヤレスチャネル、ワイヤラインチャネル、および前記ワイヤレスチャネルと前記ワイヤラインチャネルの両方の組合せの中から１つまたは複数のチャネルを選択することと、
前記情報信号の連続するシンボル間の送信ガードインターバルを決定することと、前記送信ガードインターバルが、前記１つまたは複数のチャネルに少なくとも部分的に基づく、
前記１つまたは複数のチャネルを介して前記送信ガードインターバルを有する前記情報信号を送信することと
を行わせる命令を記憶するためのメモリと
を備えるデュアルチャネル送信機。
【請求項１１】
前記命令が、前記プロセッサによって実行されたとき、前記デュアルチャネル送信機に、
前記宛先ネットワークデバイスがワイヤレス受信アクセス、ワイヤライン受信アクセス、またはワイヤレス受信アクセスとワイヤライン受信アクセスの両方の組合せを有するかどうかを決定することと、
前記宛先ネットワークデバイスがワイヤレス受信アクセス、ワイヤライン受信アクセス、またはワイヤレス受信アクセスとワイヤライン受信アクセスの両方の前記組合せを有するかどうかの決定に少なくとも部分的に基づいて前記１つまたは複数のチャネルを選択することと
を行わせる、請求項１０に記載のデュアルチャネル送信機。
【請求項１２】
前記命令が、前記プロセッサによって実行されたとき、前記デュアルチャネル送信機に、
前記宛先ネットワークデバイスがワイヤレス受信アクセスのみを有するという前記決定に応答して、前記ワイヤレスチャネルに少なくとも部分的に基づいて前記送信ガードインターバルを決定させる、請求項１１に記載のデュアルチャネル送信機。
【請求項１３】
前記命令が、前記プロセッサによって実行されたとき、前記デュアルチャネル送信機に、前記宛先ネットワークデバイスがワイヤライン受信アクセスのみを有するという前記決定に応答して、前記ワイヤラインチャネルの送信媒体に少なくとも部分的に基づいて前記送信ガードインターバルを決定させる、請求項１１に記載のデュアルチャネル送信機。
【請求項１４】
前記命令が、前記プロセッサによって実行されたとき、前記デュアルチャネル送信機に、
前記宛先ネットワークデバイスがワイヤレス受信インターフェースとワイヤライン受信インターフェースとを含むと決定することと、
前記宛先ネットワークデバイスが前記ワイヤレス受信インターフェースと前記ワイヤライン受信インターフェースとを含むという決定に応答して、前記ワイヤレスチャネルおよび前記ワイヤラインチャネルの両方を選択することと
を行わせる、請求項１０に記載のデュアルチャネル送信機。
【請求項１５】
前記命令が、前記プロセッサによって実行されたとき、前記デュアルチャネル送信機に、前記ワイヤラインチャネルの送信媒体に少なくとも部分的に基づいて前記送信ガードインターバルを決定させる、請求項１４に記載のデュアルチャネル送信機。
【請求項１６】
前記命令が、前記プロセッサによって実行されたとき、前記デュアルチャネル送信機に、
前記ワイヤレスチャネルおよび前記ワイヤラインチャネル上の信号トラフィックを監視することと、
前記信号トラフィックに少なくとも部分的に基づいて前記１つまたは複数のチャネルを選択することと
を行わせる、請求項１０に記載のデュアルチャネル送信機。
【請求項１７】
前記命令が、前記プロセッサによって実行されたとき、前記デュアルチャネル送信機に、前記ワイヤレスチャネル上の前記信号トラフィックがワイヤレスチャネルしきい値を超えることに応答して、前記ワイヤラインチャネルを選択させる、請求項１６に記載のデュアルチャネル送信機。
【請求項１８】
前記命令が、前記プロセッサによって実行されたとき、前記デュアルチャネル送信機に、前記ワイヤラインチャネル上の前記信号トラフィックがワイヤラインチャネルしきい値を超えることに応答して、前記ワイヤレスチャネルを選択させる、請求項１６に記載のデュアルチャネル送信機。
【請求項１９】
ネットワークデバイスによって実行される方法であって、
ワイヤレス受信インターフェースにおいてワイヤレス信号を、ワイヤライン受信インターフェース上でワイヤライン信号を受信することと、
前記ワイヤレス信号の第１の信号強度を決定することと、
前記ワイヤライン信号の第２の信号強度を決定することと、
前記第１の信号強度および前記第２の信号強度に少なくとも部分的に基づいて、さらなる処理のために１つまたは複数の信号を選択することと
を備え、前記１つまたは複数の信号が、前記ワイヤレス信号、前記ワイヤライン信号、および前記ワイヤレス信号と前記ワイヤライン信号の両方の組合せの中から選択される方法。
【請求項２０】
前記１つまたは複数の信号を選択することが、
前記第１の信号強度を第１の信号強度しきい値と比較することと、
前記第２の信号強度を第２の信号強度しきい値と比較することと
を備える、請求項１９に記載の方法。
【請求項２１】
前記１つまたは複数の信号を選択することが、
前記第１の信号強度が前記第１の信号強度しきい値を超えず、前記第２の信号強度が前記第２の信号強度しきい値を超えないと決定したことに応答して、前記ワイヤレス信号と前記ワイヤライン信号の両方を選択することを備える、請求項２０に記載の方法。
【請求項２２】
処理のために情報信号を生み出すために前記ワイヤレス信号と前記ワイヤライン信号を合成することをさらに備える、請求項２１に記載の方法。
【請求項２３】
ワイヤレス信号を受信するように構成されたワイヤレス受信インターフェースと、
ワイヤライン信号を受信するように構成されたワイヤライン受信インターフェースと、
前記ワイヤレス信号の第１の信号強度と前記ワイヤライン信号の第２の信号強度とを決定し、
前記第１の信号強度および前記第２の信号強度に少なくとも部分的に基づいて、さらなる処理のために１つまたは複数の信号を選択し、ここにおいて、前記１つまたは複数の信号が、前記ワイヤレス信号、前記ワイヤライン信号、および前記ワイヤレス信号と前記ワイヤライン信号の両方の組合せの中から選択される
ように構成されたダイバーシティ選択ユニットと
を備えるデュアルチャネル受信機。
【請求項２４】
前記ダイバーシティ選択ユニットが、
前記第１の信号強度を第１の信号強度しきい値と比較し、
前記第２の信号強度を第２の信号強度しきい値と比較する
ようにさらに構成される、請求項２３に記載のデュアルチャネル受信機。
【請求項２５】
前記ダイバーシティ選択ユニットが、前記第１の信号強度が前記第１の信号強度しきい値を超えず、前記第２の信号強度が前記第２の信号強度しきい値を超えないと決定したことに応答して、さらなる処理のために前記ワイヤレス信号と前記ワイヤライン信号の両方を選択するようにさらに構成される、請求項２４に記載のデュアルチャネル受信機。
【請求項２６】
処理のために情報信号を生み出すために前記ワイヤレス信号と前記ワイヤライン信号とを合成するように構成されたダイバーシティ合成ユニット
をさらに備える、請求項２３に記載のデュアルチャネル受信機。
【請求項２７】
デュアルチャネル送信機のプロセッサによって実行されたとき、前記デュアルチャネル送信機に、
情報信号を宛先ネットワークデバイスに送信すると決定することと、
ワイヤレスチャネル、ワイヤラインチャネル、および前記ワイヤレスチャネルと前記ワイヤラインチャネルの両方の組合せの中から１つまたは複数のチャネルを選択することと、
前記情報信号の連続するシンボル間の送信ガードインターバルを決定することと、前記送信ガードインターバルが、前記１つまたは複数のチャネルに少なくとも部分的に基づく、
前記１つまたは複数のチャネルを介して前記送信ガードインターバルを有する前記情報信号を送信することと
を備える動作を実行させる命令を備える非一時的機械可読媒体。
【請求項２８】
前記命令が、前記プロセッサによって実行されたとき、前記デュアルチャネル送信機に、
前記宛先ネットワークデバイスがワイヤレス受信アクセス、ワイヤライン受信アクセス、またはワイヤレス受信アクセスとワイヤライン受信アクセスの両方の組合せを有するかどうかを決定すること
をさらに備える動作を実行させ、前記１つまたは複数のチャネルを選択することが、前記宛先ネットワークデバイスがワイヤレス受信アクセス、ワイヤライン受信アクセス、またはワイヤレス受信アクセスとワイヤライン受信アクセスの両方の前記組合せを有するかどうかの決定に少なくとも部分的に基づく、請求項２７に記載の非一時的機械可読媒体。
【請求項２９】
前記命令が、前記プロセッサによって実行されたとき、前記デュアルチャネル送信機に、
前記宛先ネットワークデバイスがワイヤレス受信アクセスとワイヤライン受信アクセスの両方を有するという前記決定に応答して、前記ワイヤレスチャネルと前記ワイヤラインチャネルの両方を選択すること
をさらに備える動作を実行させる、請求項２８に記載の非一時的機械可読媒体。
【請求項３０】
前記命令が、前記プロセッサによって実行されたとき、前記デュアルチャネル送信機に、
前記ワイヤラインチャネルの送信媒体に少なくとも部分的に基づいて前記送信ガードインターバルを決定すること
をさらに備える動作を実行させる、請求項２９に記載の非一時的機械可読媒体。
【請求項３１】
情報信号を宛先ネットワークデバイスに送信すると決定するための手段と、
ワイヤレスチャネル、ワイヤラインチャネル、および前記ワイヤレスチャネルと前記ワイヤラインチャネルの両方の組合せの中から１つまたは複数のチャネルを選択するための手段と、
前記情報信号の連続するシンボル間の送信ガードインターバルを決定するための手段と、前記送信ガードインターバルが、前記１つまたは複数のチャネルに少なくとも部分的に基づく、
前記１つまたは複数のチャネルを介して前記送信ガードインターバルを有する前記情報信号を送信するための手段と
を備えるシステム。
【請求項３２】
前記宛先ネットワークデバイスがワイヤレス受信アクセス、ワイヤライン受信アクセス、またはワイヤレス受信アクセスとワイヤライン受信アクセスの両方の組合せを有するかどうかを決定するための手段
をさらに備え、前記１つまたは複数のチャネルを前記選択するための手段が、前記宛先ネットワークデバイスがワイヤレス受信アクセス、ワイヤライン受信アクセス、またはワイヤレス受信アクセスとワイヤライン受信アクセスの両方の前記組合せを有するかどうかの決定に少なくとも部分的に基づく、請求項３１に記載のシステム。
【請求項３３】
前記宛先ネットワークデバイスがワイヤレス受信アクセスとワイヤライン受信アクセスの両方を有するという前記決定に応答して、前記ワイヤレスチャネルと前記ワイヤラインチャネルの両方を選択するための手段
をさらに備える、請求項３２に記載のシステム。
【請求項３４】
前記ワイヤラインチャネルの送信媒体に少なくとも部分的に基づいて前記送信ガードインターバルを決定するための手段
をさらに備える、請求項３３に記載のシステム。
【手続補正２】
【補正対象書類名】明細書
【補正対象項目名】００８３
【補正方法】変更
【補正の内容】
【００８３】
[0088]  実施形態は様々な実装形態および活用形態に関して説明されているが、これらの実施形態は例示的なものであり、開示される主題の範囲はそれらに限定されないことを理解されたい。
以下に本願の出願当初の特許請求の範囲に記載された発明を付記する。
［Ｃ１］
デュアルチャネル送信機から情報信号を送信するための方法であって、
ワイヤレスチャネル、ワイヤラインチャネル、またはそれらの組合せの上で前記情報信号をネットワークデバイスに送信すると決定することと、
前記決定に少なくとも部分的に基づいて送信ガードインターバルを選択することと
を備える方法。
［Ｃ２］
前記ネットワークデバイスがワイヤレス受信アクセス、ワイヤライン受信アクセス、またはそれらの組合せを有すると決定すること
をさらに備える、Ｃ１に記載の方法。
［Ｃ３］
前記ネットワークデバイスがワイヤレス受信アクセスのみを有するという決定に応答して、前記ワイヤレスチャネル上のみで前記情報信号を送信すると決定することと、
前記ワイヤレスチャネル上のみで前記情報信号を送信するという前記決定に少なくとも部分的に基づいて前記送信ガードインターバルを選択することと
をさらに備える、Ｃ２に記載の方法。
［Ｃ４］
前記ネットワークデバイスがワイヤライン受信アクセスのみを有するという決定に応答して、前記ワイヤラインチャネル上のみで前記情報信号を送信すると決定することと、
前記ワイヤラインチャネルの送信媒体に少なくとも部分的に基づいて前記送信ガードインターバルを選択することと
をさらに備える、Ｃ２に記載の方法。
［Ｃ５］
前記ネットワークデバイスがワイヤレス受信アクセスとワイヤライン受信アクセスの両方を有するという決定に応答して、前記ワイヤレスチャネルと前記ワイヤラインチャネルの両方の上で前記情報信号を送信すると決定すること
をさらに備える、Ｃ２に記載の方法。
［Ｃ６］
前記ワイヤラインチャネルの送信媒体に少なくとも部分的に基づいて前記送信ガードインターバルを選択することと、
前記ワイヤレスチャネルおよび前記ワイヤラインチャネルを介して前記選択された送信ガードインターバルを有する前記情報信号を送信することと
をさらに備える、Ｃ５に記載の方法。
［Ｃ７］
前記ワイヤレスチャネルおよび前記ワイヤラインチャネル上の信号トラフィックを監視すること
をさらに備える、Ｃ１に記載の方法。
［Ｃ８］
前記ワイヤレスチャネル上の前記信号トラフィックがワイヤレスチャネルしきい値を超えることに応答して、前記ワイヤラインチャネル上で前記情報信号を送信すると決定すること
をさらに備える、Ｃ７に記載の方法。
［Ｃ９］
前記ワイヤラインチャネル上の前記信号トラフィックがワイヤラインチャネルしきい値を超えることに応答して、前記ワイヤレスチャネル上で前記情報信号を送信すると決定すること
をさらに備える、Ｃ７に記載の方法。
［Ｃ１０］
情報信号をネットワークデバイスに送信すると決定するように構成された上位レベルプロトコルレイヤと、
ワイヤレスチャネル、ワイヤラインチャネル、またはそれらの組合せの上で前記情報信号を送信すると決定するように構成された送信モードコントローラと、
前記決定に少なくとも部分的に基づいて送信ガードインターバルを選択するように構成されたガードインターバルコントローラと
を備えるデュアルチャネル送信機。
［Ｃ１１］
前記送信モードコントローラが、前記ネットワークデバイスがワイヤレス受信アクセス、ワイヤライン受信アクセス、またはそれらの組合せを有すると決定するようにさらに構成される、Ｃ１０に記載のデュアルチャネル送信機。
［Ｃ１２］
前記ガードインターバルコントローラが、前記ネットワークデバイスがワイヤレス受信アクセスのみを有するという決定に応答して、前記ワイヤレスチャネルに少なくとも部分的に基づいて前記送信ガードインターバルを選択するようにさらに構成される、Ｃ１１に記載のデュアルチャネル送信機。
［Ｃ１３］
前記ガードインターバルコントローラが、前記ネットワークデバイスがワイヤライン受信アクセスのみを有するという決定に応答して、前記ワイヤラインチャネルの送信媒体に少なくとも部分的に基づいて前記送信ガードインターバルを選択するようにさらに構成される、Ｃ１１に記載のデュアルチャネル送信機。
［Ｃ１４］
前記送信モードコントローラが、
前記ネットワークデバイスが同じ情報信号を受信するように構成されたワイヤレス受信インターフェースとワイヤライン受信機インターフェースとを含むと決定し、
前記ネットワークデバイスが同じ情報信号を受信するように構成された前記ワイヤレス受信インターフェースとワイヤライン受信インターフェースとを含むという決定に応答して、前記ワイヤレスチャネルおよび前記ワイヤラインチャネル上で前記情報信号を送信する
ようにさらに構成される、Ｃ１０に記載のデュアルチャネル送信機。
［Ｃ１５］
前記ガードインターバルコントローラが、前記ワイヤラインチャネルの送信媒体に少なくとも部分的に基づいて前記送信ガードインターバルを選択するようにさらに構成される、Ｃ１４に記載のデュアルチャネル送信機。
［Ｃ１６］
前記送信モードコントローラが、前記ワイヤレスチャネルおよび前記ワイヤラインチャネル上の信号トラフィックを監視するようにさらに構成される、Ｃ１０に記載のデュアルチャネル送信機。
［Ｃ１７］
前記送信モードコントローラが、前記ワイヤレスチャネル上の前記信号トラフィックがワイヤレスチャネルしきい値を超えることに応答して、前記ワイヤラインチャネル上で前記情報信号を送信すると決定するようにさらに構成される、Ｃ１６に記載のデュアルチャネル送信機。
［Ｃ１８］
前記送信モードコントローラが、前記ワイヤラインチャネル上の前記信号トラフィックがワイヤラインチャネルしきい値を超えることに応答して、前記ワイヤレスチャネル上で前記情報信号を送信するようにさらに構成される、Ｃ１６に記載のデュアルチャネル送信機。
［Ｃ１９］
ネットワークデバイスにおいて情報信号を受信するための方法であって、
ワイヤレス受信インターフェースにおいてワイヤレス信号を、ワイヤライン受信インターフェース上でワイヤライン信号を受信することと、
前記ワイヤレス信号の第１の信号強度を決定することと、
前記ワイヤライン信号の第２の信号強度を決定することと、
前記決定された第１の信号強度および前記決定された第２の信号強度に少なくとも部分的に基づいて、さらなる処理のために前記ワイヤレス信号および前記ワイヤライン信号のいずれかまたは両方を選択することと
を備える方法。
［Ｃ２０］
前記第１の信号強度を第１の信号強度しきい値と比較することと、
前記第２の信号強度を第２の信号強度しきい値と比較することと
をさらに備える、Ｃ１９に記載の方法。
［Ｃ２１］
前記ワイヤレス信号および前記ワイヤライン信号のいずれかまたは両方を前記選択することが、
前記第１の信号強度が前記第１の信号強度しきい値を超えず、前記第２の信号強度が前記第２の信号強度しきい値を超えないと決定したことに応答して、前記ワイヤレス信号と前記ワイヤライン信号の両方を選択することをさらに備える、Ｃ２０に記載の方法。
［Ｃ２２］
前記選択されたワイヤレス信号と前記選択されたワイヤライン信号を前記情報信号内で合成することをさらに備える、Ｃ２１に記載の方法。
［Ｃ２３］
ワイヤレス信号を受信するように構成されたワイヤレス受信インターフェースと、
ワイヤライン信号を受信するように構成されたワイヤライン受信インターフェースと、
前記ワイヤレス信号の第１の信号強度と前記ワイヤライン信号の第２の信号強度とを決定し、
前記決定された第１の信号強度および前記決定された第２の信号強度に少なくとも部分的に基づいて、さらなる処理のために前記ワイヤレス信号および前記ワイヤライン信号のいずれかまたは両方を選択する
ように構成されたダイバーシティ選択ユニットと
を備えるデュアルチャネル受信機。
［Ｃ２４］
前記ダイバーシティ選択ユニットが、
前記第１の信号強度を第１の信号強度しきい値と比較し、
前記第２の信号強度を第２の信号強度しきい値と比較する
ようにさらに構成される、Ｃ２３に記載のデュアルチャネル受信機。
［Ｃ２５］
前記ダイバーシティ選択ユニットが、前記第１の信号強度が前記第１の信号強度しきい値を超えず、前記第２の信号強度が前記第２の信号強度しきい値を超えないと決定したことに応答して、さらなる処理のために前記ワイヤレス信号と前記ワイヤライン信号の両方を選択するようにさらに構成される、Ｃ２４に記載のデュアルチャネル受信機。
［Ｃ２６］
前記選択されたワイヤレス信号と前記選択されたワイヤライン信号とを情報信号内で合成するように構成されたダイバーシティ合成ユニット
をさらに備える、Ｃ２３に記載のデュアルチャネル受信機。
【手続補正書】
【提出日】平成30年1月24日(2018.1.24)
【手続補正１】
【補正対象書類名】特許請求の範囲
【補正対象項目名】全文
【補正方法】変更
【補正の内容】
【特許請求の範囲】
【請求項１】
デュアルチャネル送信機によって実行される方法であって、
情報信号を宛先ネットワークデバイスに送信すると決定することと、
ワイヤレスチャネル、ワイヤラインチャネル、および前記ワイヤレスチャネルと前記ワイヤラインチャネルの両方の組合せであるデュアル媒体チャネルの中から１つまたは複数のチャネルを選択することと、前記選択された１つまたは複数のチャネルが、前記宛先ネットワークデバイスがワイヤレス受信アクセス、ワイヤライン受信アクセス、またはワイヤレス受信アクセスとワイヤライン受信アクセスの両方の組合せを有するかどうかの決定に少なくとも部分的に基づいて選択される、
前記情報信号の連続するシンボル間での使用のために送信ガードインターバルを決定することと、前記送信ガードインターバルが、前記選択された１つまたは複数のチャネルに少なくとも部分的に基づく、
前記選択された１つまたは複数のチャネルに関連付けられた前記デュアルチャネル送信機の１つまたは複数の送信インターフェースを介して前記送信ガードインターバルを有する前記情報信号を送信することと
を備える方法。
【請求項２】
前記宛先ネットワークデバイスが前記宛先ネットワークデバイス中の受信機インターフェースのタイプを指定する受信機構成情報に少なくとも部分的に基づいてワイヤレス受信アクセス、ワイヤライン受信アクセス、またはワイヤレス受信アクセスとワイヤライン受信アクセスの両方の前記組合せを有するかどうかを決定すること
をさらに備える、請求項１に記載の方法。
【請求項３】
前記宛先ネットワークデバイスがワイヤレス受信アクセスのみを有するという前記決定に応答して、
前記ワイヤレスチャネルのみを選択することと、
前記ワイヤレスチャネルのワイヤレス媒体に少なくとも部分的に基づいて前記送信ガードインターバルを決定することと、
前記デュアルチャネル送信機のワイヤレス送信インターフェースを介して前記情報信号を送信することと
をさらに備える、請求項１に記載の方法。
【請求項４】
前記宛先ネットワークデバイスがワイヤライン受信アクセスのみを有するという前記決定に応答して、
前記ワイヤラインチャネルのみを選択することと、
前記ワイヤラインチャネルのワイヤライン媒体に少なくとも部分的に基づいて前記送信ガードインターバルを決定することと、
前記デュアルチャネル送信機のワイヤライン送信インターフェースを介して前記情報信号を送信することと
をさらに備える、請求項１に記載の方法。
【請求項５】
前記宛先ネットワークデバイスがワイヤレス受信アクセスとワイヤライン受信アクセスの両方を有するという前記決定に応答して、
前記デュアル媒体チャネルを選択することと、
前記ワイヤラインチャネルのワイヤライン媒体に少なくとも部分的に基づいて前記デュアル媒体チャネルに関連付けられた前記送信ガードインターバルを決定することと、
前記デュアルチャネル送信機のワイヤライン送信インターフェースとワイヤレス送信インターフェースの両方を介して前記情報信号を送信することと
をさらに備える、請求項１に記載の方法。
【請求項６】
前記ワイヤレスチャネルと前記ワイヤラインチャネルのチャネルトラフィック条件に少なくとも部分的に基づいて前記１つまたは複数のチャネルを選択すること
をさらに備える、請求項１に記載の方法。
【請求項７】
前記ワイヤレスチャネルおよび前記ワイヤラインチャネル上の信号トラフィックを監視すること
をさらに備え、前記１つまたは複数のチャネルを選択することが、前記信号トラフィックに少なくとも部分的に基づく、請求項１に記載の方法。
【請求項８】
前記ワイヤレスチャネル上の前記信号トラフィックがワイヤレスチャネルしきい値を超えることに応答して、前記ワイヤラインチャネルを選択すること
をさらに備える、請求項７に記載の方法。
【請求項９】
前記ワイヤラインチャネル上の前記信号トラフィックがワイヤラインチャネルしきい値を超えることに応答して、前記ワイヤレスチャネルを選択すること
をさらに備える、請求項７に記載の方法。
【請求項１０】
デュアルチャネル送信機であって、
ワイヤライン送信インターフェースと、
ワイヤレス送信インターフェースと、
プロセッサと、
前記プロセッサによって実行されたとき、前記デュアルチャネル送信機に、
情報信号を宛先ネットワークデバイスに送信すると決定することと、
ワイヤレスチャネル、ワイヤラインチャネル、および前記ワイヤレスチャネルと前記ワイヤラインチャネルの両方の組合せであるデュアル媒体チャネルの中から１つまたは複数のチャネルを選択することと、前記選択された１つまたは複数のチャネルが、前記宛先ネットワークデバイスがワイヤレス受信アクセス、ワイヤライン受信アクセス、またはワイヤレス受信アクセスとワイヤライン受信アクセスの両方の組合せを有するかどうかの決定に少なくとも部分的に基づいて選択される、
前記情報信号の連続するシンボル間での使用のために送信ガードインターバルを決定することと、前記送信ガードインターバルが、前記選択された１つまたは複数のチャネルに少なくとも部分的に基づく、
前記選択された１つまたは複数のチャネルに関連付けられた送信のための前記デュアルチャネル送信機の１つまたは複数の送信インターフェースを介して前記送信ガードインターバルを有する前記情報信号を送信することと
を行わせる命令を記憶するためのメモリと
を備えるデュアルチャネル送信機。
【請求項１１】
前記命令が、前記プロセッサによって実行されたとき、前記デュアルチャネル送信機に、
前記宛先ネットワークデバイスが前記宛先ネットワークデバイス中の受信機インターフェースのタイプを指定する受信機構成情報に少なくとも部分的に基づいてワイヤレス受信アクセス、ワイヤライン受信アクセス、またはワイヤレス受信アクセスとワイヤライン受信アクセスの両方の前記組合せを有するかどうかを決定させる、請求項１０に記載のデュアルチャネル送信機。
【請求項１２】
前記命令が、前記プロセッサによって実行されたとき、前記デュアルチャネル送信機に、
前記宛先ネットワークデバイスがワイヤレス受信アクセスのみを有するという前記決定に応答して、
前記ワイヤレスチャネルのみを選択することと、
前記ワイヤレスチャネルのワイヤレス媒体に少なくとも部分的に基づいて前記送信ガードインターバルを決定することと、
前記デュアルチャネル送信機の前記ワイヤレス送信インターフェースを介して前記情報信号を送信することと
を行わせる、請求項１０に記載のデュアルチャネル送信機。
【請求項１３】
前記命令が、前記プロセッサによって実行されたとき、前記デュアルチャネル送信機に、
前記宛先ネットワークデバイスがワイヤライン受信アクセスのみを有するという前記決定に応答して、
前記ワイヤラインチャネルのみを選択することと、
前記ワイヤラインチャネルのワイヤライン媒体に少なくとも部分的に基づいて前記送信ガードインターバルを決定することと、
前記デュアルチャネル送信機の前記ワイヤライン送信インターフェースを介して前記情報信号を送信することと
を行わせる、請求項１０に記載のデュアルチャネル送信機。
【請求項１４】
前記命令が、前記プロセッサによって実行されたとき、前記デュアルチャネル送信機に、
前記宛先ネットワークデバイスがワイヤレス受信アクセスとワイヤライン受信アクセスの両方を有するという前記決定に応答して、
前記デュアル媒体チャネルを選択することと、
前記ワイヤラインチャネルのワイヤライン媒体に少なくとも部分的に基づいて前記デュアル媒体チャネルに関連付けられた前記送信ガードインターバルを決定することと、
前記デュアルチャネル送信機の前記ワイヤライン送信インターフェースと前記ワイヤレス送信インターフェースの両方を介して前記情報信号を送信することと
を行わせる、請求項１０に記載のデュアルチャネル送信機。
【請求項１５】
前記命令が、前記プロセッサによって実行されたとき、前記デュアルチャネル送信機に、前記ワイヤレスチャネルと前記ワイヤラインチャネルのチャネルトラフィック条件に少なくとも部分的に基づいて前記１つまたは複数のチャネルを選択させる、請求項１０に記載のデュアルチャネル送信機。
【請求項１６】
前記命令が、前記プロセッサによって実行されたとき、前記デュアルチャネル送信機に、
前記ワイヤレスチャネルおよび前記ワイヤラインチャネル上の信号トラフィックを監視することと、
前記信号トラフィックに少なくとも部分的に基づいて前記１つまたは複数のチャネルを選択することと
を行わせる、請求項１０に記載のデュアルチャネル送信機。
【請求項１７】
前記命令が、前記プロセッサによって実行されたとき、前記デュアルチャネル送信機に、前記ワイヤレスチャネル上の前記信号トラフィックがワイヤレスチャネルしきい値を超えることに応答して、前記ワイヤラインチャネルを選択させる、請求項１６に記載のデュアルチャネル送信機。
【請求項１８】
前記命令が、前記プロセッサによって実行されたとき、前記デュアルチャネル送信機に、前記ワイヤラインチャネル上の前記信号トラフィックがワイヤラインチャネルしきい値を超えることに応答して、前記ワイヤレスチャネルを選択させる、請求項１６に記載のデュアルチャネル送信機。
【請求項１９】
ネットワークデバイスによって実行される方法であって、
ワイヤレス受信インターフェースにおいてワイヤレス信号を、ワイヤライン受信インターフェース上でワイヤライン信号を受信することと、
前記ワイヤレス信号の第１の信号強度を決定することと、
前記ワイヤライン信号の第２の信号強度を決定することと、
前記第１の信号強度および前記第２の信号強度に少なくとも部分的に基づいて、さらなる処理のために１つまたは複数の信号を選択することと
を備え、前記１つまたは複数の信号が、前記ワイヤレス信号、前記ワイヤライン信号、および前記ワイヤレス信号と前記ワイヤライン信号の両方の組合せであるデュアル媒体信号の中から選択される方法。
【請求項２０】
前記１つまたは複数の信号を選択することが、
前記第１の信号強度を第１の信号強度しきい値と比較することと、
前記第２の信号強度を第２の信号強度しきい値と比較することと
を備える、請求項１９に記載の方法。
【請求項２１】
前記１つまたは複数の信号を選択することが、
前記第１の信号強度が前記第１の信号強度しきい値を超えず、前記第２の信号強度が前記第２の信号強度しきい値を超えないと決定したことに応答して、前記ワイヤレス信号と前記ワイヤライン信号の両方を選択することを備える、請求項２０に記載の方法。
【請求項２２】
処理のために情報信号を生み出すために前記ワイヤレス信号と前記ワイヤライン信号を合成することをさらに備える、請求項２１に記載の方法。
【請求項２３】
ワイヤレス信号を受信するように構成されたワイヤレス受信インターフェースと、
ワイヤライン信号を受信するように構成されたワイヤライン受信インターフェースと、
前記ワイヤレス信号の第１の信号強度と前記ワイヤライン信号の第２の信号強度とを決定し、
前記第１の信号強度および前記第２の信号強度に少なくとも部分的に基づいて、さらなる処理のために１つまたは複数の信号を選択し、ここにおいて、前記１つまたは複数の信号が、前記ワイヤレス信号、前記ワイヤライン信号、および前記ワイヤレス信号と前記ワイヤライン信号の両方の組合せであるデュアル媒体信号の中から選択される
ように構成されたダイバーシティ選択ユニットと
を備えるデュアルチャネル受信機。
【請求項２４】
前記ダイバーシティ選択ユニットが、
前記第１の信号強度を第１の信号強度しきい値と比較し、
前記第２の信号強度を第２の信号強度しきい値と比較する
ようにさらに構成される、請求項２３に記載のデュアルチャネル受信機。
【請求項２５】
前記ダイバーシティ選択ユニットが、前記第１の信号強度が前記第１の信号強度しきい値を超えず、前記第２の信号強度が前記第２の信号強度しきい値を超えないと決定したことに応答して、さらなる処理のために前記ワイヤレス信号と前記ワイヤライン信号の両方を選択するようにさらに構成される、請求項２４に記載のデュアルチャネル受信機。
【請求項２６】
処理のために情報信号を生み出すために前記ワイヤレス信号と前記ワイヤライン信号とを合成するように構成されたダイバーシティ合成ユニット
をさらに備える、請求項２３に記載のデュアルチャネル受信機。
【請求項２７】
デュアルチャネル送信機のプロセッサによって実行されたとき、前記デュアルチャネル送信機に、
情報信号を宛先ネットワークデバイスに送信すると決定することと、
ワイヤレスチャネル、ワイヤラインチャネル、および前記ワイヤレスチャネルと前記ワイヤラインチャネルの両方の組合せであるデュアル媒体チャネルの中から１つまたは複数のチャネルを選択することと、前記選択された１つまたは複数のチャネルが、前記宛先ネットワークデバイスがワイヤレス受信アクセス、ワイヤライン受信アクセス、またはワイヤレス受信アクセスとワイヤライン受信アクセスの両方の組合せを有するかどうかの決定に少なくとも部分的に基づいて選択される、
前記情報信号の連続するシンボル間での使用のために送信ガードインターバルを決定することと、前記送信ガードインターバルが、前記選択された１つまたは複数のチャネルに少なくとも部分的に基づく、
前記選択された１つまたは複数のチャネルに関連付けられた送信のための前記デュアルチャネル送信機の１つまたは複数の送信インターフェースを介して前記送信ガードインターバルを有する前記情報信号を送信することと
を備える動作を実行させる命令を備える非一時的機械可読媒体。
【請求項２８】
前記命令が、前記プロセッサによって実行されたとき、前記デュアルチャネル送信機に、
前記宛先ネットワークデバイスが前記宛先ネットワークデバイス中の受信機インターフェースのタイプを指定する受信機構成情報に少なくとも部分的に基づいてワイヤレス受信アクセス、ワイヤライン受信アクセス、またはワイヤレス受信アクセスとワイヤライン受信アクセスの両方の前記組合せを有するかどうかを決定すること
をさらに備える動作を実行させる、請求項２７に記載の非一時的機械可読媒体。
【請求項２９】
前記命令が、前記プロセッサによって実行されたとき、前記デュアルチャネル送信機に、
前記宛先ネットワークデバイスがワイヤレス受信アクセスとワイヤライン受信アクセスの両方を有するという前記決定に応答して、
前記デュアル媒体チャネルを選択すること
をさらに備える動作を実行させる、請求項２８に記載の非一時的機械可読媒体。
【請求項３０】
前記命令が、前記プロセッサによって実行されたとき、前記デュアルチャネル送信機に、
前記ワイヤラインチャネルのワイヤライン媒体に少なくとも部分的に基づいて前記デュアル媒体チャネルに関連付けられた前記送信ガードインターバルを決定することと、
前記デュアルチャネル送信機のワイヤライン送信インターフェースとワイヤレス送信インターフェースの両方を介して前記情報信号を送信することと
をさらに備える動作を実行させる、請求項２９に記載の非一時的機械可読媒体。
【請求項３１】
情報信号を宛先ネットワークデバイスに送信すると決定するための手段と、
ワイヤレスチャネル、ワイヤラインチャネル、および前記ワイヤレスチャネルと前記ワイヤラインチャネルの両方の組合せであるデュアル媒体チャネルの中から１つまたは複数のチャネルを選択するための手段と、前記選択された１つまたは複数のチャネルが、前記宛先ネットワークデバイスがワイヤレス受信アクセス、ワイヤライン受信アクセス、またはワイヤレス受信アクセスとワイヤライン受信アクセスの両方の組合せを有するかどうかの決定に少なくとも部分的に基づいて選択される、
前記情報信号の連続するシンボル間での使用のために送信ガードインターバルを決定するための手段と、前記送信ガードインターバルが、前記選択された１つまたは複数のチャネルに少なくとも部分的に基づく、
前記選択された１つまたは複数のチャネルに関連付けられた送信のための前記デュアルチャネル送信機の１つまたは複数の送信インターフェースを介して前記送信ガードインターバルを有する前記情報信号を送信するための手段と
を備えるシステム。
【請求項３２】
前記宛先ネットワークデバイスが前記宛先ネットワークデバイス中の受信機インターフェースのタイプを指定する受信機構成情報に少なくとも部分的に基づいてワイヤレス受信アクセス、ワイヤライン受信アクセス、またはワイヤレス受信アクセスとワイヤライン受信アクセスの両方の前記組合せを有するかどうかを決定するための手段
をさらに備える、請求項３１に記載のシステム。
【請求項３３】
前記宛先ネットワークデバイスがワイヤレス受信アクセスとワイヤライン受信アクセスの両方を有するという前記決定に応答して、
前記デュアル媒体チャネルを選択するための手段
をさらに備える、請求項３２に記載のシステム。
【請求項３４】
前記ワイヤラインチャネルのワイヤライン媒体に少なくとも部分的に基づいて前記デュアル媒体チャネルに関連付けられた前記送信ガードインターバルを決定するための手段と、
前記デュアルチャネル送信機のワイヤライン送信インターフェースとワイヤレス送信インターフェースの両方を介して前記情報信号を送信するための手段と
をさらに備える、請求項３３に記載のシステム。
【国際調査報告】
2018525856.tif 000009
2018525856.tif 000010